(57)【要約】複数の対物レンズを有する光ピックアップを、簡易に傾き調整を行いながら製造することを可能とする複数の光源と、前記複数の光源からの光を光情報記録媒体へ集光する複数の対物レンズ及び前記複数の対物レンズを保持する可動体を有する光ピックアップ部品と、前記光ピックアップ部品の前記可動体を駆動するアクチュエータと、前記アクチュエータが配置されるとともに、前記複数の光源からの出射光を前記複数の対物レンズへ導く光学系が構成される基台とを有する光ピックアップにおける、前記対物レンズの傾き調整方法であって、  前記基台上の所定位置に前記光ピックアップ部品を一時的に配置した状態で、前記複数の対物レンズの前記光情報記録媒体に対する傾き調整を行う第１の傾き調整工程と、  前記第１の傾き調整工程終了後の前記複数の対物レンズの傾きを検出する傾き検出工程とを備えた。【特許請求の範囲】
【請求項１】
複数の光源と、前記複数の光源からの光を光情報記録媒体へ集光する複数の対物レンズ及び前記複数の対物レンズを保持する可動体を有する光ピックアップ部品と、前記光ピックアップ部品の前記可動体を駆動するアクチュエータと、前記アクチュエータが配置されるとともに、前記複数の光源からの出射光を前記複数の対物レンズへ導く光学系が構成される基台とを有する光ピックアップにおける、前記対物レンズの傾き調整方法であって、
前記基台上の所定位置に前記光ピックアップ部品を一時的に配置した状態で、前記複数の対物レンズの前記光情報記録媒体に対する傾き調整を行う第１の傾き調整工程と、
前記第１の傾き調整工程終了後の前記複数の対物レンズの傾きを検出する傾き検出工程とを備えた、対物レンズの傾き調整方法。
【請求項２】
前記光ピックアップ部品の前記複数の対物レンズの少なくとも一つは前記可動体に予め固定されており、
前記複数の対物レンズの残りは、前記可動体内で前記光情報記録媒体に対して傾き調整可能に保持されており、
前記第１の傾き調整工程を、前記可動体に固定された前記対物レンズについては、前記可動体を動かすことにより、他の前記対物レンズについては直接動かすことにより行い、
前記第１の傾き調整工程終了後、前記他の前記対物レンズを前記可動体に固定することにより前記光ピックアップ部品を完成する工程を有する、
請求の範囲第１項に記載の対物レンズの傾き調整方法。
【請求項３】
前記可動体、及び前記複数の対物レンズのいずれか少なくとも一つは、光を反射する反射部を有し、
前記傾き検出工程は、前記反射部に対する傾き測定用の照射光を用いて行う、請求の範囲第１項に記載の対物レンズの傾き調整方法。
【請求項４】
前記反射部は、前記可動体に設けられた反射ミラーである、請求の範囲第３項に記載の対物レンズの傾き調整方法。
【請求項５】
前記反射部は、前記複数の対物レンズのいずれか少なくとも一つに設けられているとともに、前記対物レンズの、前記光源からの光が入射する入射面又は前記光源からの光が出射する出射面の縁部に形成された平坦部を有する、請求の範囲第３項に記載の対物レンズの傾き調整方法。
【請求項６】
前記平坦部は前記入射面又は出射面の周囲に形成された、所定幅ｗ（ｗ≧０．１ｍｍ）を有する環状の領域である、請求の範囲第５項に記載の対物レンズの傾き調整方法。
【請求項７】
前記反射部は、前記入射面又は前記出射面の、前記平坦部を有しない側にも平坦部を有し、
一方の前記平坦部は光を反射する鏡面であり、他方の前記平坦部は光を拡散する粗面である、請求の範囲第５項に記載の対物レンズの傾き調整方法。
【請求項８】
前記入射面の前記平坦部が前記粗面である、請求の範囲第７項に記載の対物レンズの傾き調整方法。
【請求項９】
前記複数の対物レンズは、第１の対物レンズ及び第２の対物レンズの２つの対物レンズである、請求の範囲第１項に記載の対物レンズの傾き調整方法。
【請求項１０】
前記傾き検出工程により検出した、前記対物レンズの傾きに関する情報を記録する記録工程をさらに備えた、請求の範囲第１項に記載の対物レンズの傾き調整方法。
【請求項１１】
前記記録工程は、前記傾きに関する情報を、前記基台、前記光ピックアップ部品及び前記アクチュエータのいずれか少なくとも一つに記録するものである、請求の範囲第１０項に記載の対物レンズの傾き調整方法。
【請求項１２】
前記記録工程は、前記傾きに関する情報を、バーコード情報によって記録することにより行う、請求の範囲第１０項に記載の対物レンズの傾き調整方法。
【請求項１３】
前記記録工程は、前記傾きに関する情報を、前記基台に設けられた集積回路に記録することにより行う、請求の範囲第１０項に記載の対物レンズの傾き調整方法。
【請求項１４】
前記傾き検出工程を、オートコリメータを用いて行う、請求の範囲第１項に記載の対物レンズの傾き調整方法。
【請求項１５】
前記第１の傾き調整工程は、前記複数の対物レンズそれぞれの出射光集光スポットが前記光源からの光の光軸に対し対称、かつ、最小となるように行う、請求の範囲第１項に記載の対物レンズの傾き調整方法。
【請求項１６】
前記第１の傾き調整工程は、前記第１、第２の対物レンズのそれぞれの出射光のコマ収差が最小となるように行う、請求の範囲第１項に記載の対物レンズの傾き調整方法。
【請求項１７】
複数の光源と、前記複数の光源からの光を光情報記録媒体へ集光する複数の対物レンズ及び前記複数の対物レンズを保持する可動体を有する光ピックアップ部品と、前記光ピックアップ部品の前記可動体を駆動するアクチュエータと、前記アクチュエータが配置されるとともに、前記複数の光源からの出射光を前記複数の対物レンズへ導く光学系が構成される基台とを有する光ピックアップの製造方法であって、
前記光ピックアップ部品と前記アクチュエータとを一体的に組み合わせる組み合わせ工程と、
前記アクチュエータと組み合わされた前記光ピックアップ部品を、前記基台上に固定する固定工程とを備え、
前記固定工程は、請求の範囲第１項に記載の対物レンズの傾き調整方法の前記傾き検出工程により得られた前記複数の対物レンズの傾きが再現されるように、前記光ピックアップ部品と組み合わされた前記アクチュエータの傾きを調整する第２の傾き調整工程を有する、光ピックアップの製造方法。
【請求項１８】
前記組み合わせ工程は、前記光ピックアップ部品と前記アクチュエータとを、前記光ピックアップ部品を駆動するためのワイヤにより接続するものである、請求の範囲第１７項に記載の光ピックアップの製造方法。
【請求項１９】
前記ワイヤは、少なくとも前記組み合わせ工程の前から前記ピックアップ部品に接続されているものである、請求の範囲第１８項に記載の光ピックアップの製造方法。
【請求項２０】
複数の光源と、前記複数の光源からの光を光情報記録媒体へ集光する複数の対物レンズ及び前記複数の対物レンズを保持する可動体を有する光ピックアップ部品と、前記光ピックアップ部品の前記可動体を駆動するアクチュエータと、前記アクチュエータが配置されるとともに、前記複数の光源からの出射光を前記複数の対物レンズへ導く光学系が構成される基台とを有する光ピックアップにおける、前記対物レンズの傾き調整装置であって、
前記基台上の所定位置に前記光ピックアップ部品を一時的に配置した状態で、前記複数の対物レンズの前記光情報記録媒体に対する傾き調整を行う第１の傾き調整部と、
前記第１の工程終了後の前記複数の対物レンズの傾きを検出する傾き検出部とを備えた、対物レンズの傾き調整装置。
【請求項２１】
前記第１の傾き調整部が検出した、前記対物レンズの傾きに関する情報を記録する記録部をさらに備えた、請求の範囲第２０項に記載の対物レンズの傾き調整装置。
【請求項２２】
前記記録部は、前記対物レンズの傾きに関する前記情報を、前記基台、前記光ピックアップ部品及び前記アクチュエータのいずれか少なくとも一つに記録する、請求の範囲第２１項に記載の対物レンズの傾き調整装置。
【請求項２３】
前記記録部は、前記傾きに関する情報を、バーコード情報によって記録することにより行う、請求の範囲第２２項に記載の対物レンズの傾き調整装置。
【請求項２４】
前記記録部は、前記傾きに関する情報を、前記基台に設けられた集積回路に記録することにより行う、請求の範囲第２２項に記載の対物レンズの傾き調整装置。
【請求項２５】
前記第１の傾き調整部は、オートコリメータを有する、請求の範囲第２０項に記載の対物レンズの傾き調整装置。
【請求項２６】
複数の光源からの光を光情報記録媒体へ集光する複数の対物レンズと、
前記複数の対物レンズを保持する可動体とを備え、
前記可動体、及び前記複数の対物レンズのいずれか少なくとも一つは、光を反射する反射部を有する光ピックアップ部品。
【請求項２７】
前記反射部は、前記可動体に設けられた反射ミラーである、請求の範囲第２６項に記載の光ピックアップ部品。
【請求項２８】
前記反射部は、前記複数の対物レンズのいずれか少なくとも一つに設けられているとともに、前記対物レンズの、前記光源からの光が入射する入射面又は前記光源からの光が出射する出射面の縁部に形成された平坦部を有する、請求の範囲第２６項に記載の光ピックアップ部品。
【請求項２９】
前記平坦部は前記入射面又は出射面の周囲に形成された、所定幅ｗ（ｗ≧０．１ｍｍ）を有する環状の領域である、請求の範囲第２８項に記載の光ピックアップ部品。
【請求項３０】
前記反射部は、前記入射面又は前記出射面の、前記平坦部を有しない側にも平坦部を有し、
一方の前記平坦部は光を反射する鏡面であり、他方の前記平坦部は光を拡散する粗面である、請求の範囲第２８項に記載の光ピックアップ部品。
【請求項３１】
前記入射面の前記平坦部が前記粗面である、請求の範囲第２８項に記載の光ピックアップ部品。
【請求項３２】
前記複数の対物レンズは、第１の対物レンズ及び第２の対物レンズの２つの対物レンズである、請求の範囲第２６項に記載の光ピックアップ部品。
【請求項３３】
複数の光源と、
請求の範囲第２６項に記載の光ピックアップ部品と、
前記光ピックアップ部品の前記可動体を駆動するアクチュエータと、
前記アクチュエータが配置されるとともに、前記複数の光源からの出射光を前記複数の対物レンズへ導く光学系が構成される基台とを備えた光ピックアップ。
【請求項３４】
前記複数の光源のうち、前記複数の対物レンズのいずれかにより前記光情報記録媒体へ集光される光は、波長３８０〜４２０ｎｍの範囲にあり、前記複数のの対物レンズの他のいずれかにより前記光情報記録媒体へ集光される光は、波長６００〜９００ｎｍの範囲にある請求の範囲第３３項に記載の光ピックアップ。
【請求項３５】
前記複数の光源のうち、前記複数の対物レンズのいずれかにより前記光情報記録媒体へ集光される光は、波長３８０〜４２０ｎｍの範囲にあり、前記複数の対物レンズの他のいずれかにより前記光情報記録媒体へ集光される光は、波長３８０〜４２０、及び、波長６００〜９００ｎｍの範囲にある請求の範囲第３３項に記載の光ピックアップ。
【請求項３６】
請求の範囲第３３項に記載の光ピックアップと、
光情報記録媒体を駆動する駆動部と、
前記駆動部と前記光ピックアップの前記アクチュエータとを少なくとも制御する駆動制御部と、
前記光情報記録媒体に対し記録又は再生される情報を処理する情報処理部とを備えた光情報記録再生装置。
【発明の詳細な説明】
【技術分野】
【０００１】  本発明は、対物レンズの傾き調整方法、光ピックアップの製造方法、対物レンズの傾き調整装置、光ピックアップ部品、光ピックアップ、及び光情報記録再生装置に関するものである。
【背景技術】
【０００２】  光ピックアップの組み立て工程では、対物レンズと光情報記録媒体との位置合わせのための対物レンズを駆動するアクチュエータの傾き調整が必要である。従来から、アクチュエータの傾きの調整方法としては、顕微鏡とカメラ、モニターを使用し、光情報記録媒体の代りに、光情報記録媒体と同じ厚さを有するカバーガラスを基準面と平行に設置して、カバーガラス上に形成される対物レンズのスポットを顕微鏡で拡大して観察し、これに基づきアクチュエータの傾きを調整する光学ヘッド調整方法が用いられている（例えば、特開平６−３６３２１号公報を参照）。【０００３】  図７は、従来の光学ヘッド調整方法を行う調整装置について、その要部構成の一例を示す図である。同図において、１０１は光ピックアップのハウジング、１０２は偏向プリズム、１０３はアクチュエータ、１０４はネジ、１０５は対物レンズ、１０６はカバーガラス、１０７は顕微鏡、１０８はカメラ、１０９はカメラコントローラ、１１０はモニタディスプレイ、１１１はレーザ光を示す。【０００４】  この図７に示すように、光ピックアップのハウジング１０１には、偏向プリズム１０２が設けられている。また、ハウジング１０１の上部に、アクチュエータ１０３があり、アクチュエータ１０３は、対物レンズ１０５がその内部に固定された可動部１０３ａ、可動部１０３ａを収納する筐体部１０３ｂ、及び可動部１０３ａと筐体部１０３ｂとを弾性的に保持するためのワイヤ１０３ｃとを備えている。可動部１０３には図示しないコイルが内蔵されており、筐体部１０３ｂは磁石が設けられており、コイルへの配線を兼ねたワイヤ１０３ｃへの通電によってコイルに生ずる電磁力により、可動部１０３ａは筐体部１０３ｂ内をトラッキング及びフォーカシング方向へ移動する。なお、コイルに電圧が印加されていないときは可動部１０３ａはワイヤ１０３ｃの弾性力によって保持されるが、アクチェータの調整はこの状態において行われる。【０００５】  アクチュエータ１０３は、ネジ１０４によってハウジング１０１に固定されているが、ネジ１０４の締め方を調整することにより、アクチュエータ１０３の傾きを調整することができる。また、光情報記録媒体の保護層と同じ厚みを有するカバーガラス１０６が、アクチュエータ１０３の上部に、光ピックアップのハウジング１０１と平行に設置されている。【０００６】  従来のアクチュエータ傾きの調整工程は、次の手順で行う。まず、偏向プリズム１０２に、レーザ光１１１を入射し、対物レンズ１０５によってカバーガラス１０６上に形成されるスポットを顕微鏡１０７で観察する。顕微鏡１０７に接続されたカメラ１０８により受像されたスポットの画像は、カメラコントローラ１０９を通して、モニタディスプレイ１１０の画面上に表示される。【０００７】  次に、作業者は、このスポットの表示を見ながら、１次のサイドローブが対称となるように、アクチュエータ１０３の傾きを調整する。以上のような工程によって、アクチュエータ１０３の傾きの調整が行われる。【０００８】  この調整は、アクチュエータ１０３に組み込まれている対物レンズ１０５の傾きを光情報記録媒体に対し調整することにより、スポット形状を良好にする目的で行われ���ものである。【０００９】  しかしながら、ＣＤ／ＤＶＤ及びＢｌｕ−ｒａｙ  Ｄｉｓｃのような複数フォーマットの光情報記録媒体の書き込み又は読み出しに対応するために、複数の光源、及びそれらに対応する複数の対物レンズを有する光ピックアップにおいては、レンズホルダを有する可動体上に配置された対物レンズそれぞれの傾き調整を行う必要がある。上記のようにアクチュエータ１０３全体の傾きを調整すると、複数の対物レンズの傾きが同一に変化するためである。【００１０】  可動体１０３ａに２つの対物レンズが設けられる場合を考えると、各対物レンズについてはアクチュエータ１０３内で傾き調整を行うことになる。このとき、以下のような不具合が生ずる。【００１１】  例えば、第１の対物レンズを可動体１０３ａ内に固定し、第２の対物レンズを可動体内で傾き方向に自由に調整できるように配置し、第１の対物レンズの傾き調整は可動体１０３ａ自体の傾き調整により行い、第２の対物レンズの傾き調整は、第２の対物レンズを治具により外部から保持し、その治具に接続された調整機構により傾き調整を行う方法が考えられる。【００１２】  しかしながら、可動体はワイヤー１０３ｃにより筐体部１０３ｂと固定されているため、第１の対物レンズの傾き調整時に可動体１０３ａのみを動かすと、ワイヤー１０３ｃに曲げ、ねじれ等の負荷がかかり、ワイヤー１０３ｃが破損してしまう恐れがあった。【００１３】  これに対し、第１の対物レンズも可動体１０３ａ内で自由に調整できるように配置すると、可動体１０３ａを別途治具によって保持する必要があるが、この保持によってもワイヤー１０３ｃに直接又は間接的に負荷がかかり、破損の恐れを避けることができなかった。【００１４】  本発明は、このような課題を解決するためになされたもので、複数の対物レンズを有する光ピックアップを、簡易に傾き調整を行いながら製造することを可能とする対物レンズの傾き調整方法、光ピックアップの製造方法、対物レンズの傾き調整装置、光ピックアップ部品、光ピックアップ、及び光情報記録再生装置を提供することを目的とする。
【発明の開示】
【００１５】  第１の本発明は、複数の光源と、前記複数の光源からの光を光情報記録媒体へ集光する複数の対物レンズ及び前記複数の対物レンズを保持する可動体を有する光ピックアップ部品と、前記光ピックアップ部品の前記可動体を駆動するアクチュエータと、前記アクチュエータが配置されるとともに、前記複数の光源からの出射光を前記複数の対物レンズへ導く光学系が構成される基台とを有する光ピックアップにおける、前記対物レンズの傾き調整方法であって、
前記基台上の所定位置に前記光ピックアップ部品を一時的に配置した状態で、前記複数の対物レンズの前記光情報記録媒体に対する傾き調整を行う第１の傾き調整工程と、
前記第１の傾き調整工程終了後の前記複数の対物レンズの傾きを検出する傾き検出工程とを備えた、対物レンズの傾き調整方法である。
【００１６】  第２の本発明は、前記光ピックアップ部品の前記複数の対物レンズの少なくとも一つは前記可動体に予め固定されており、
前記複数の対物レンズの残りは、前記可動体内で前記光情報記録媒体に対して傾き調整可能に保持されており、
前記第１の傾き調整工程を、前記可動体に固定された前記対物レンズについては、前記可動体を動かすことにより、他の前記対物レンズについては直接動かすことにより行い、
前記第１の傾き調整工程終了後、前記他の前記対物レンズを前記可動体に固定することにより前記光ピックアップ部品を完成する工程を有する、第１の本発明の対物レンズの傾き調整方法である。
【００１７】  第３の本発明は、前記可動体、及び前記複数の対物レンズのいずれか少なくとも一つは、光を反射する反射部を有し、
前記傾き検出工程は、前記反射部に対する傾き測定用の照射光を用いて行う、第１の本発明の対物レンズの傾き調整方法である。
【００１８】  第４の本発明は、前記反射部は、前記可動体に設けられた反射ミラーである、第３の本発明の対物レンズの傾き調整方法である。
【００１９】  第５の本発明は、前記反射部は、前記複数の対物レンズのいずれか少なくとも一つに設けられているとともに、前記対物レンズの、前記光源からの光が入射する入射面又は前記光源からの光が出射する出射面の縁部に形成された平坦部を有する、第３の本発明の対物レンズの傾き調整方法である。
【００２０】  第６の本発明は、前記平坦部は前記入射面又は出射面の周囲に形成された、所定幅ｗ（ｗ≧０．１ｍｍ）を有する環状の領域である、第５の本発明の対物レンズの傾き調整方法である。
【００２１】  第７の本発明は、前記反射部は、前記入射面又は前記出射面の、前記平坦部を有しない側にも平坦部を有し、
一方の前記平坦部は光を反射する鏡面であり、他方の前記平坦部は光を拡散する粗面である、第５の本発明の対物レンズの傾き調整方法である。
【００２２】  第８の本発明は、前記入射面の前記平坦部が前記粗面である、第７の本発明の対物レンズの傾き調整方法である。
【００２３】  第９の本発明は、前記複数の対物レンズは、第１の対物レンズ及び第２の対物レンズの２つの対物レンズである、第１の本発明の対物レンズの傾き調整方法である。
【００２４】  第１０の本発明は、前記傾き検出工程により検出した、前記対物レンズの傾きに関する情報を記録する記録工程をさらに備えた、第１の本発明の対物レンズの傾き調整方法である。
【００２５】  第１１の本発明は、前記記録工程は、前記傾きに関する情報を、前記基台、前記光ピックアップ部品及び前記アクチュエータのいずれか少なくとも一つに記録するものである、第１０の本発明の対物レンズの傾き調整方法である。
【００２６】  第１２の本発明は、前記記録工程は、前記傾きに関する情報を、バーコード情報によって記録することにより行う、第１０の本発明の対物レンズの傾き調整方法である。
【００２７】  第１３の本発明は、前記記録工程は、前記傾きに関する情報を、前記基台に設けられた集積回路に記録することにより行う、第１０の本発明の対物レンズの傾き調整方法である。
【００２８】  第１４の本発明は、前記傾き検出工程を、オートコリメータを用いて行う、第１の本発明の対物レンズの傾き調整方法である。
【００２９】  第１５の本発明は、前記第１の傾き調整工程は、前記複数の対物レンズそれぞれの出射光集光スポットが前記光源からの光の光軸に対し対称、かつ、最小となるように行う、第１の本発明の対物レンズの傾き調整方法である。
【００３０】  第１６の本発明は、前記第１の傾き調整工程は、前記第１、第２の対物レンズのそれぞれの出射光のコマ収差が最小となるように行う、第１の本発明の対物レンズの傾き調整方法である。
【００３１】  第１７の本発明は、複数の光源と、前記複数の光源からの光を光情報記録媒体へ集光する複数の対物レンズ及び前記複数の対物レンズを保持する可動体を有する光ピックアップ部品と、前記光ピックアップ部品の前記可動体を駆動するアクチュエータと、前記アクチュエータが配置されるとともに、前記複数の光源からの出射光を前記複数の対物レンズへ導く光学系が構成される基台とを有する光ピックアップの製造方法であって、
前記光ピックアップ部品と前記アクチュエータとを一体的に組み合わせる組み合わせ工程と、
前記アクチュエータと組み合わされた前記光ピックアップ部品を、前記基台上に固定する固定工程とを備え、
前記固定工程は、第１の本発明の対物レンズの傾き調整方法の前記傾き検出工程により得られた前記複数の対物レンズの傾きが再現されるように、前記光ピックアップ部品と組み合わされた前記アクチュエータの傾きを調整する第２の傾き調整工程を有する、光ピックアップの製造方法である。
【００３２】  第１８の本発明は、前記組み合わせ工程は、前記光ピックアップ部品と前記アクチュエータとを、前記光ピックアップ部品を駆動するためのワイヤにより接続するものである、第１７の本発明の光ピックアップの製造方法である。
【００３３】  第１９の本発明は、前記ワイヤは、少なくとも前記組み合わせ工程の前から前記ピックアップ部品に接続されているものである、第１８の本発明の光ピックアップの製造方法である。
【００３４】  第２０の本発明は、複数の光源と、前記複数の光源からの光を光情報記録媒体へ集光する複数の対物レンズ及び前記複数の対物レンズを保持する可動体を有する光ピックアップ部品と、前記光ピックアップ部品の前記可動体を駆動するアクチュエータと、前記アクチュエータが配置されるとともに、前記複数の光源からの出射光を前記複数の対物レンズへ導く光学系が構成される基台とを有する光ピックアップにおける、前記対物レンズの傾き調整装置であって、
前記基台上の所定位置に前記光ピックアップ部品を一時的に配置した状態で、前記複数の対物レンズの前記光情報記録媒体に対する傾き調整を行う第１の傾き調整部と、
前記第１の工程終了後の前記複数の対物レンズの傾きを検出する傾き検出部とを備えた、対物レンズの傾き調整装置である。
【００３５】  第２１の本発明は、前記第１の傾き調整部が検出した、前記対物レンズの傾きに関する情報を記録する記録部をさらに備えた、第２０の本発明の対物レンズの傾き調整装置である。
【００３６】  第２２の本発明は、前記記録部は、前記対物レンズの傾きに関する前記情報を、前記基台、前記光ピックアップ部品及び前記アクチュエータのいずれか少なくとも一つに記録する、第２１の本発明の対物レンズの傾き調整装置である。
【００３７】  第２３の本発明は、前記記録部は、前記傾きに関する情報を、バーコード情報によって記録することにより行う、第２２の本発明の対物レンズの傾き調整装置である。
【００３８】  第２４の本発明は、前記記録部は、前記傾きに関する情報を、前記基台に設けられた集積回路に記録することにより行う、第２２の本発明の対物レンズの傾き調整装置である。
【００３９】  第２５の本発明は、前記第１の傾き調整部は、オートコリメータを有する、第２０の本発明の対物レンズの傾き調整装置である。
【００４０】  第２６の本発明は、複数の光源からの光を光情報記録媒体へ集光する複数の対物レンズと、
前記複数の対物レンズを保持する可動体とを備え、
前記可動体、及び前記複数の対物レンズのいずれか少なくとも一つは、光を反射する反射部を有する光ピックアップ部品である。
【００４１】  第２７の本発明は、前記反射部は、前記可動体に設けられた反射ミラーである、第２６の本発明の光ピックアップ部品である。
【００４２】  第２８の本発明は、前記反射部は、前記複数の対物レンズのいずれか少なくとも一つに設けられているとともに、前記対物レンズの、前記光源からの光が入射する入射面又は前記光源からの光が出射する出射面の縁部に形成された平坦部を有する、第２６の本発明の光ピックアップ部品である。
【００４３】  第２９の本発明は、前記平坦部は前記入射面又は出射面の周囲に形成された、所定幅ｗ（ｗ≧０．１ｍｍ）を有する環状の領域である、第２８の本発明の光ピックアップ部品である。
【００４４】  第３０の本発明は、前記反射部は、前記入射面又は前記出射面の、前記平坦部を有しない側にも平坦部を有し、
一方の前記平坦部は光を反射する鏡面であり、他方の前記平坦部は光を拡散する粗面である、第２８の本発明の光ピックアップ部品である。
【００４５】  第３１の本発明は、前記入射面の前記平坦部が前記粗面である、第２８の本発明の光ピックアップ部品である。
【００４６】  第３２の本発明は、前記複数の対物レンズは、第１の対物レンズ及び第２の対物レンズの２つの対物レンズである、第２６の本発明の光ピックアップ部品である。
【００４７】  第３３の本発明は、複数の光源と、
第２６の本発明の光ピックアップ部品と、
前記光ピックアップ部品の前記可動体を駆動するアクチュエータと、
前記アクチュエータが配置されるとともに、前記複数の光源からの出射光を前記複数の対物レンズへ導く光学系が構成される基台とを備えた光ピックアップである。
【００４８】  第３４の本発明は、前記複数の光源のうち、前記複数の対物レンズのいずれかにより前記光情報記録媒体へ集光される光は、波長３８０〜４２０ｎｍの範囲にあり、前記複数のの対物レンズの他のいずれかにより前記光情報記録媒体へ集光される光は、波長６００〜９００ｎｍの範囲にある第３３の本発明の光ピックアップである。
【００４９】  第３５の本発明は、前記複数の光源のうち、前記複数の対物レンズのいずれかにより前記光情報記録媒体へ集光される光は、波長３８０〜４２０ｎｍの範囲にあり、前記複数の対物レンズの他のいずれかにより前記光情報記録媒体へ集光される光は、波長３８０〜４２０、及び、波長６００〜９００ｎｍの範囲にある第３３の本発明の光ピックアップである。
【００５０】  第３６の本発明は、第３３の本発明の光ピックアップと、
光情報記録媒体を駆動する駆動部と、
前記駆動部と前記光ピックアップの前記アクチュエータとを少なくとも制御する駆動制御部と、
前記光情報記録媒体に対し記録又は再生される情報を処理する情報処理部とを備えた光情報記録再生装置である。
【００５１】  以上のような本発明によれば、例えば、複数フォーマットの光情報記録媒体の書き込み又は読み出しに対応するために、２つの対物レンズを有する光ピックアップの調整において、前記可動体を保持するワイヤーが破損することなく対物レンズ及びアクチュエータの傾き調整を容易に行うことが可能となる。
【００５２】  また、以上のように本発明によれば、複数の対物レンズを有する光ピックアップを、簡易に傾き調整が行いながら製造することが可能となる。
【図面の簡単な説明】
【００５３】
【図１（ａ）】本発明の実施の形態１にかかる対物レンズの傾き調整方法及び調整装置を説明するための図である。
【図１（ｂ）】本発明の実施の形態１にかかる対物レンズの傾き調整方法及び調整装置を説明するための図である。
【図１（ｃ）】本発明の実施の形態１にかかる対物レンズの傾き調整方法及び調整装置を説明するための図である。
【図１（ｄ）】本発明の実施の形態１にかかる対物レンズの傾き調整方法及び調整装置を説明するための図である。
【図１（ｅ）】本発明の実施の形態１にかかる対物レンズの傾き調整方法及び調整装置を説明するための図である。
【図２（ａ）】本発明の実施の形態２にかかる対物レンズの傾き調整方法及び調整装置を説明するための図である。
【図２（ｂ）】本発明の実施の形態２にかかる対物レンズの傾き調整方法及び調整装置を説明するための図である。
【図２（ｃ）】本発明の実施の形態２にかかる対物レンズの傾き調整方法及び調整装置を説明するための図である。
【図２（ｄ）】本発明の実施の形態２にかかる対物レンズの傾き調整方法及び調整装置を説明するための図である。
【図３】（ａ）本発明の実施の形態３にかかる対物レンズに形成された平坦部の構成を説明する平面図である。（ｂ）本発明の実施の形態３にかかる対物レンズに形成された平坦部の構成を説明する側面図である。（ｃ）本発明の実施の形態３にかかる対物レンズに形成された平坦部の構成を説明する底面図である。
【図４】（ａ）本発明の実施の形態３にかかる駆動部に形成された反射部の構成を説明する平面図である。（ｂ）本発明の実施の形態３にかかる駆動部に形成された反射部の構成を説明する側面図である。
【図５】本発明の実施の形態４にかかる光情報記録再生装置の構成図である。
【図６】本発明の実施の形態１にかかる対物レンズの傾き調整方法を説明するための図である。
【図７】従来の光学ヘッド調整工程を行う調整装置について、その要部構成の一例を示す図である。
【符号の説明】
【００５４】    １．第１のレーザビーム
２．第２のレーザビーム
３．反射プリズム
４．基台
５．可動体
６．第１の対物レンズ
７．第２の対物レンズ
８．第１のカバーガラス
９．第２のカバーガラス
１０．第１の顕微鏡
１１．第２の顕微鏡
１２．第１のカメラ
１３．第２のカメラ
１４．カメラコントローラ
１５．モニタディスプレイ
１６．第１の傾き調整機構
１７．第２の傾き調整機構
１８．レーザ光
１９．オートコリメータ
２０．第３の傾き調整機構
２１ａ．筐体部
２１ｂ．ワイヤー
２１ｃ．プリント基板
２２．アクチュエータ
２３．第１の光源
２４．第２の光源
２５．第１のコリメータレンズ
２６．第２のコリメータレンズ
２７．第１のビームスプリッタ
２８．第２のビームスプリッタ
２９．第１のレンズ
３０．第２のレンズ
３１．第１の光検出器
３２．第２の光検出器
３３．第１の光情報記録媒体
３４．第２の光情報記録媒体
３５．モータ
３６．演算処理装置
３７．処理回路
３８．光ピックアップ
３９．バーコードシール
４０．光ピックアップ駆動回路
６１ａ、６１ｂ．平坦部
６２ａ．出射面
６２ｂ．入射面
５１．反射部
７０  光情報記録再生装置
１０１．ハウジング
１０２．偏向プリズム
１０３．アクチュエータ
１０４．ネジ
１０５．対物レンズ
１０６．カバーガラス
１０７．顕微鏡
１０８．カメラ
１０９．カメラコントローラ
１１０．モニタディスプレイ
１１１．レーザ光
【発明を実施するための最良の形態】
【００５５】  以下、本発明の実施の形態を、図面を参照しながら説明する。
（実施の形態１）
実施の形態１では、本発明の対物レンズの傾き調整方法、光ピックアップの製造方法、対物レンズの傾き調整装置、光ピックアップの一例について説明する。【００５６】  図１は、本発明の実施の形態１による対物レンズの傾き調整装置の構成図である。【００５７】  以下、図１を用いて、同図の（ａ）、（ｂ）、（ｃ）、（ｄ）、（ｅ）の順で、本実施の形態１による対物レンズの傾き調整装置の動作を説明するとともに、これにより、本発明の対物レンズの傾き調整方法、光ピックアップの製造方法の一実施の形態について説明する。【００５８】  図１（ａ）において、１から７は光ピックアップの構成要素であり、１は光ピックアップの光源に対応する調整用の第１のレーザビーム、２は同第２のレーザビーム、３は、第１のレーザビーム１及び第２のレーザビーム２をそれぞれの対物レンズ側に反射する反射プリズム、４は光ピックアップのハウジング、５はアクチュエータの可動体、６は第１の対物レンズ、７は第２の対物レンズを示す。【００５９】  また、８から１５は光ピックアップにおける第１及び第２の対物レンズから出射される収束光の集光スポットの形状を評価するスポット観測系であり、８及び９はそれぞれ第１の対物レンズ６及び第２の対物レンズ７により情報が記録又は再生される光情報記録媒体の保護層と光学的に等価な厚みを有する第１のカバーガラス、及び第２のカバーガラスである。【００６０】  １０及び１１は、第１の対物レンズ６からの第１の出射光と、第２の対物レンズ７からの第２の出射光をそれぞれ第１のカメラ１２及び第２のカメラ１３に結像する第１の顕微鏡及び第２の顕微鏡である。第１のカメラ１２及び第２のカメラ１３によって受光されたスポット画像は、カメラコントローラ１４を通してモニタディスプレイ１５の画面上にスポットが表示される。【００６１】  また、１６は可動体５を一時的に固定する第１の傾き調整機構であり、可動体５の向き、傾きを調整することができる。１７は第２の対物レンズ７を一時的に固定する第２の傾き調整機構である。可動体５において第１の対物レンズ６は固定されているので、第１の傾き調整機構１６により第１の対物レンズの傾きを調整することができる。また、第２の対物レンズ７は可動体５には固定されていないため、第２の傾き調整機構１７により直接その傾きを調整する。【００６２】  また、第１の傾き調整機構は可動体５を、ハウジング４上における光ピックアップ実装時の位置に対応するような位置に配置しているのが望ましいが、任意の配置であってもよい。【００６３】  なお、上記の構成において、ハウジング４は本発明の基台に相当し、可動体５は本発明の可動体に相当する。第１の対物レンズ６及び第２の対物レンズ７は本発明の複数の対物レンズに相当する。第１のカバーガラス８，第２のカバーガラス９，第１の顕微鏡１０，第２の顕微鏡１１、第１のカメラ１２、第２のカメラ１３、カメラコントローラ１４及びモニタディスプレイ１５から構成されるスポット観測系と、第１の傾き調整機構１６と、第２の傾き調整機構１７とは、本発明の第１の傾き調整手段に相当する。【００６４】  次に、本装置による調整の手順であるが、まず、反射プリズム３に対し光ピックアップの、ハウジング内に設けられた図示しない光源から出力される第１のレーザビーム１及び第２のレーザビーム２をそれぞれ反射させることにより得られる、第１の対物レンズ６からの第１の出射光と、第２の対物レンズ７からの第２の出射光のそれぞれが、第１のカバーガラス８，第２のカバーガラス９上に形成するスポット像がモニタディスプレイ１５に映るように、第１の顕微鏡１０及び第２の顕微鏡１１の焦点合わせ、及び第１の対物レンズ６と、第２の対物レンズ７の、光軸方向と垂直な面方向への位置合わせを行う。【００６５】  光軸方向と垂直な面方向への位置合わせは、たとえば第１の対物レンズ６からの第１の出射光の光量分布が、第１の対物レンズのトラッキング方向及びトラッキング方向に垂直なラジアル方向に対し略対称となるように調整すれば、コマ収差の少ない集光スポットを得ることができる。第２の対物レンズ７についても同様である。【００６６】  次に、モニタディスプレイ１５の画面上に表示されるスポット画像が最適となるように、すなわち、スポット画像のメインローブが略円形であり、さらにメインローブ周辺に現れる１次リングがスポットの中心に対し回転対称に生じるように、第１の対物レンズ６の傾き調整と第２の対物レンズ７の傾き調整を行う。【００６７】  上述したように、第１の対物レンズ６は可動体５に固定されており、第１の傾き調整機構１６により可動体５の傾き調整を行う。第２の対物レンズ７は可動体５には固定されておらず、傾き方向に調整可能な構成となっており、第２の傾き調整機構１７により傾き調整を行う。【００６８】  第１の対物レンズ６の傾き調整と第２の対物レンズ７の傾き調整が完了した後、第２の対物レンズ７を可動体５に固定し、第２の傾き調整機構１７から切り離す。【００６９】  これにより可動体５と第１の対物レンズ６，第２の対物レンズ７は一体化して、本発明の光ピックアップ部品が完成される。なお、可動体５は第１の傾き調整機構１６により保持された状態を保ち、ハウジング４と可動体５との位置関係が保持されるようにするのが望ましいが、位置に変化が生じてもよい。【００７０】  第１の対物レンズ６と第２の対物レンズ７の傾き調整が完了した後、第１の対物レンズ６又は第２の対物レンズ７の傾き測定を、オートコリメータ１９から出射するレーザ光１８の反射光によって測定する（図１（ｂ））。オートコリメータを使用すれば、レーザ光１８として太い系の光を用いることができ、容易に角度の検出を行うことができる。なお、レーザ光１８は本発明の傾き測定用の照射光に相当する。ただし、オートコリメータ１９によらず、他の測定手段を用いても良い。【００７１】  ここでは第１の対物レンズ６の傾きをオートコリメータ１９により測定する場合について説明する。第１の対物レンズ６の出射側の面には、レーザ光１８が反射するようにコバ面に所定の反射率を有する平坦部が形成されている。この平坦部はレンズ成型に用いる金型にあらかじめ設けられており、レンズ成型と同時に平坦部が形成されるようになっており、容易に平坦部を確保することが可能である。図１（ｂ）に示す例は、対物レンズ６の平坦面がオートコリメータ１９のレーザ光１８の光軸に直交しているため入射光と同一方向に���射光が発生しているが、実際には、図６（ｂ）に示すように、図１（ａ）に示す傾き調整によって第１の対物レンズ６は傾斜しているため、オートコリメータ１９から入射するレーザ光１８は、平坦部Ａを反射面として反射レーザ光１８′としてオートコリメータ１９に帰還する。このときの反射角αが、第１の対物レンズ６のオートコリメータ１９に対する傾きに関する情報として用いられる。この傾きに関する情報が、本発明の傾きに関する情報に相当する。【００７２】  第１の対物レンズ６の傾き測定が完了した後、可動体５を第１の傾き調整機構１６から切り離して一旦、ハウジング４上から取り外す。【００７３】  取り外した可動体５は、図１（ｃ）に示すように別途用意した筐体部２１ａ内に配置し、図１（ｄ）に示すように駆動用のワイヤー２１ｂによって筐体部２１ａと接続することにより一体的になるよう組み立てて、アクチュエータ２２として完成させる。ここでアクチュエータ２２を完成するための組み立て工程は、本発明の組み合わせ工程に相当する。【００７４】  図１（ｅ）に示すように、完成したアクチュエータ２２を再びハウジング４上の所定位置に一時的に固定する。このときアクチュエータ２２は、ハウジング４の下部から第３の傾き調整手段２０によって筐体部２１ａが保持されることにより固定される。【００７５】  この状態で、オートコリメータ１９からレーザ光１８を第１の対物レンズ６に向けて照射し、前述した平坦部からの反射光によって第１の対物レンズ６の傾きが、図１（ｂ）の状態、すなわちオートコリメータ１９に対する第１の対物レンズ６を含む可動部５の位置関係が再現されるように、アクチュエータ２２全体の傾きを第３の傾き調整手段２２によって調整する。アクチュエータ２２において可動部５，筐体部２１ａはワイヤー２１ｂにより接続され一体化しているため、アクチュエータ２２の傾き制御によって第１の対物レンズ６の姿勢も連動して制御される。また、第３の傾き調整手段２０はアクチュエータ２２を、筐体部２１ａの底面から保持しているため、傾き調整によってワイヤー２１ｂに負荷がかかることはない。【００７６】  最後に調整後の位置を保持しながらハウジング４上へアクチュエータ２２を固定し、第３の傾き調整手段２０とアクチュエータ２２とを切り離せば、光ピックアップの対物レンズ及びアクチュエータの傾き調整が完了する。【００７７】  以上の調整により、２つの対物レンズを有する光ピックアップにおける対物レンズの傾き調整において、可動体を保持するワイヤーを破損することなく対物レンズ及びアクチュエータの傾き調整を容易に行うことが可能となる。【００７８】  図１（ａ）においては、第１の対物レンズ６と第２の対物レンズ７の傾き調整は、対物レンズ６、７それぞれから第１のカバーガラス８，第２のカバーガラス９を透過する出射光のスポット形状の目視による観測により行ったが、たとえばマッハツェンダ干渉計や、マイケルソン干渉計や、シアリング干渉計などの干渉縞測定装置により、各対物レンズの出射光の波面収差、又はコマ収差成分を観測し、波面収差やコマ収差が最小となるように傾き調整を行うと、さらに高精度な調整を行うことが可能となり、コマ収差の少ない集光スポットを得ることができる。これら測定装置を用いた場合は、傾き調整が定量的に行うことができる利点がある。要するに、本発明の第１の傾き調整工程は、その具体的な手法の内容により限定されるものではない。【００７９】  また、図１（ａ）、（ｂ）、（ｅ）に示す各工程は共通の装置で作業を行うが、図１（ｂ）の工程が終了した後、一旦、ハウジング４も装置から取り外し、図１（ｅ）に示す工程のみ、別途装置を用いて行えば、図１（ｂ）に示す工程が終了した後、アクチュエータ２２が完成するまで図１（ｅ）に示す工程の開始を待つ必要がなくなり、作業時間を短縮することが可能となる。【００８０】  この場合、また、オートコリメータ１９により測定された、第１の対物レンズの傾き情報も管理する必要がある。この場合、たとえば可動体５の識別情報と第１の対物レンズ６の傾き情報を可動体５に記録しておけば、傾き情報の管理が容易となる。記録の方法としては、たとえば、可動体５のいずれかに情報内容を記録したバーコードシール３９を貼り付けるようにすればよい。【００８１】  また、可動体５とハウジング４との組み合わせで管理する場合は、ハウジング４にバーコードシール３９を張り付けるようにしてもよい。このときさらに、ハウジング４へ取り付けた集積回路へ情報を記録してもよい。このとき、集積回路は光ピックアップの動作制御に用いられる汎用品の記憶領域を用いるようにすればよい。また、傾き情報はＩＣチップ等に記録しておき、ハウジング４及び／又は可動体５に取り付けるようにしておいてもよい。【００８２】  （実施の形態２）
実施の形態２では、本発明の対物レンズの傾き調整方法の他の一例について説明する。【００８３】  図２は実施の形態２における対物レンズの傾き調整調整方法を示す図である。図２（ａ）〜（ｄ）に示す、第１の傾き調整機構１６，第２の傾き調整機構１７及び第３の傾き調整機構２０による各部の調整は、実施の形態１で説明したものと同様の工程であるため、重複する説明は省略する。【００８４】  本実施の形態は、実施の形態１とは異なり、図２（ａ）に示す工程において、第１の対物レンズ６と第２の対物レンズ７の傾き調整を行う時点で可動体５には、可動体５をアクチュエータ２２の筐体部２１ａに保持するためのワイヤー２１ｂが予め取り付けられている。なお、同図に示すように、ワイヤー２１ｂの、可動体５に取り付けられていない側の端部には、筐体部２１ａとワイヤー２１ｂとの電気的接続を保つためのプリント基板２１ｃが予め取り付けられている。【００８５】  また、第１の傾き調整機構１６は、可動体５のみと接触するように保持されており、ワイヤー２１ｂには負荷がかからない構成となっている。また、プリント基板２１ｃはワイヤー２１ｂに対し負荷がかからない程度の重量となっており、傾き調整によってワイヤー２１はこちらから影響を受けることはない。【００８６】  第１の対物レンズ６の傾き調整が完了した後、一旦、第１の傾き調整機構１６から可動体５を切り離し、ハウジング４上から取り除く。図２（ｃ）に示すように、ワイヤー２１ｂが装着された状態の可動部５を筐体部２１ｃ内に配置し、プリント基板２１ｃと筐体部２１ａとを接続し、可動部５と筐体部２１ｃとの電気的接続を行って、アクチュエータ２２を完成させる。【００８７】  ワイヤー２１ｂの取り付けは作業が難しく、組み立てタクトが長いが、本実施の形態においてはワイヤーが既に可動部５に取り付けられているため、図２（ｂ）と図２（ｄ）の調整工程間の組み立てタクトが短くなり、装置の待機時間を短くすることが可能となり、作業性が向上する。【００８８】  （実施の形態３）
実施の形態３では、本発明の光ピックアップ部品を構成する対物レンズ、可動部の一例について説明する。【００８９】  実施の形態１及び、実施の形態２においては、第１の対物レンズの出射側の面に、オートコリメータ１９からのレーザ光１８の反射面となる平坦部が形成されていたが、その具体的な構成を図３（ａ）〜（ｃ）に示す。なお、以下の説明においては第１の対物レンズ６を例とするが、第２の対物レンズ７に適用する場合も同様の構成となる。【００９０】  図３（ａ）、（ｂ）、（ｃ）は、それぞれ、第１の対物レンズ６の上面図、側面図、下面図であり、各図において、レンズのコバ部を含む縁部には、光ピックアップの光源からの光の出射側に平坦な面である平坦部６１ａが、又光源からの光の入射側には同様の平坦部６１ｂがそれぞれ設けられている。図３（ａ）（ｃ）に示すように、コバ部の形状を利用して、平坦部６１ａ、６１ｂは対物レンズ６の光の入射面及び出射面の周囲を取り巻く環状の領域として形成されている。【００９１】  平坦部６１ａ、６１ｂは、良好な反射を得るために少なくとも０．１ｍｍ以上の幅ｗを持つことが望ましい。０．１ｍｍより小さいと反射光量が不十分となり、平坦部６１ａ、６１ｂからの反射光と、平坦部６１ａ、６１ｂの端面から反射する回折光とが識別できなくなり、第１の対物レンズ６の角度の検出が困難となる恐れがあるからである。【００９２】  また、第１の対物レンズ６の入射面６２ｂ及び出射面６２ａに、第１のレンズ６を透過する光の波長に合わせ、誘電体膜などによる無反射コーティングを行い、第１の対物レンズ６を透過する透過光の透過率を改善することができるが、無反射コートは光の透過率が完全に１００％ではなく、例えば、９８％程度であるため、反射光を得ることができ、第１の対物レンズ６の角度の検出は可能である。【００９３】  さらに、平坦部６１ａ、６１ｂの平行度が良くない場合は、平坦部６１ａ、６１ｂから２重に反射光が戻ってくるため、第１の対物レンズ６の角度検出が困難となる恐れがある。そこで、下面（ｂ）部を光を拡散する粗面とすることにより、反射光が上面（ａ）からのみとなり、第１の対物レンズ６の角度検出が容易に行える。【００９４】  また、オートコリメータ１９からのレーザ光１８の反射面は、必ずしも第１の対物レンズ６に形成される平坦面上に設ける必要はなく、アクチュエータ２２の可動体５に形成されていてもよい。実施の形態１，２において、第１の対物レンズ６，第２の対物レンズ７の傾き検出、調整は、これらレンズと一体になった可動部５を調整することにより行われており、第１の対物レンズ６及び第２の対物レンズ７の傾きはそのまま可動部５の傾きとして検出されるからである。【００９５】  ここで図４（ａ）、（ｂ）は、可動体５に反射部を設けた例であり、図４（ａ）は可動体５の平面図、図４（ｂ）は可動体５の側面図である。各図に示すように、反射部５１は、可動部５の上面、各対物レンズの光の出射面側に設けた。【００９６】  可動体に平坦部を形成すれば、第１の対物レンズ６のコバ部に平坦部を十分確保する必要が無くなり、コバ部を薄く、すなわち平面図である図４（ａ）からみて平坦部の幅ｗを減らすことにより外径寸法を小さく��さえ、第１の対物レンズ６の重量を軽くすることができる。その結果、可動子５の重量が軽くなり、アクチュエータ２２の周波数特性を改善することが可能となる。
（実施の形態４）
実施の形態４では、本発明の光ピックアップ、及びその光ピックアップを光情報記録媒体に対して信号の記録及び再生を行う光情報記録再生装置へ適用した例について説明する。【００９７】  図５に実施の形態４における光情報記録再生装置の構成を模式的に示す。同図に示す光情報記録再生装置７０は、本発明の実施の形態１から実施の形態３項に記載の光ピックアップ３８と、モータ３５と、演算処理装置３６と、光ピックアップ駆動回路４０と、処理回路３７とを備える。なお、図１と同一または相当部には、同一符号を付し、詳細な説明は省略する。【００９８】  光ピックアップ３８において、第１の対物レンズ６及び第２の対物レンズ７により出射された光は、それぞれ第１の光情報記録媒体３３及び第２の光情報記録媒体３４上に集光される。【００９９】  第１の光情報記録媒体３３及び第２の光情報記録媒体３４から反射された光は、それぞれ第１の対物レンズ６及び第２の対物レンズ７を透過し、反射プリズム３により反射され、さらにそれぞれ第１のビームスプリッタ２６及び第２のビームスプリッタ２７で反射され、それぞれ第１の集光レンズ２９及び第２の集光レンズ３０により、それぞれ第１の光検出器３１及び第２の光検出器３２に集光される。【０１００】  第１の光検出器３１及び第２の光検出器３２からの出力は演算処理装置３６により、集光された光に応じて第１の光情報記録媒体３３及び第２の光情報記録媒体３４上における光の合焦状態を示すフォーカス誤差信号を出力し、また光の照射位置を示すトラッキング誤差信号を出力する。ここで、フォーカス誤差信号とトラッキング誤差信号は周知の技術により、たとえば非点収差法とプッシュプル法等により検出される。【０１０１】  図示していないフォーカス制御手段はフォーカス誤差信号に基づき常に光が合焦状態で第１の光情報記録媒体３３及び第２の光情報記録媒体３４上に集光されるように第１の対物レンズ６及び第２の対物レンズ７の位置をその光軸方向に制御する。また図示していないトラッキング制御手段は、トラッキング誤差信号に基づき、光を第１の光情報記録媒体３３及び第２の光情報記録媒体３４上の所望のトラックに集光されるように第１の対物レンズ６及び第２の対物レンズ７の位置を制御する。また、第１の光検出器３１及び第２の光検出器３２からは第１の光情報記録媒体３３及び第２の光情報記録媒体３４に記録された情報をも得ている。なお、光ピックアップ３８において、アクチュエータ２２以外の各構成部分は、実施の形態１、２のハウジング４に収納されている。【０１０２】  次に、光情報記録再生装置７０の動作について説明する。まず、光情報記録再生装置７０に第１の光情報記録媒体３３又は第２の光情報記録媒体３４がセットされると、処理回路３７はモータ３５を回転させる信号を出力し、モータ３５を回転させる。次に、処理回路３７は、第１の光源２３又は第２の光源２４を駆動し光を出射させる。第１の光源２３又は第２の光源２４から出射された光は、第１の光情報記録媒体３３又は第２の光情報記録媒体３４で反射され、第１の光検出器３１又は第２の光検出器３２に入射する。【０１０３】  第１の光検出器３１又は第２の光検出器は、第１の光情報記録媒体３３又���第２の光情報記録媒体３４上における光の合焦状態を示すフォーカス誤差信号と、光の照射位置を示すトラッキング誤差信号を処理回路３７に出力する。これらの信号に基づき、処理回路３７はアクチュエータ２２を制御する信号を出力し、これによって第１の光源２３又は第２の光源２４から出射された光を第１の光情報記録媒体３３又は第２の光情報記録媒体３４上の所望のトラック上に集光させる。また、処理回路３７は、第１の光検出器３１又は第２の光検出器３２から出力される信号に基づいて、第１の光情報記録媒体３３又は第２の光情報記録媒体３４に記録されている情報を再生する。また、第１の光情報記録媒体３３又は第２の光情報記録媒体３４に対して情報を記録する場合には、演算処理装置３６が変調された電気信号を第１の光源又は第２の光源２４に出力することにより、各部が再生時と同様の動作を行ってトラッキング及びフォーカスを調整して、光によるデータ書き込みを各媒体に対して実行する。なお、第１の光情報記録媒体３３又は第２の光情報記録媒体３４の各情報記録面上移動は、処理回路３７の制御により、光ピックアップ駆動回路４０が、光ピックアップ３８を各媒体の半径方向に移動させることにより行う。【０１０４】  また、光情報記録再生装置７０において、第１の対物レンズ６により第１の光情報記録媒体３３へ集光される第１の光源２３は、波長３８０〜４２０ｎｍの範囲にあり、第２の対物レンズ７により第２の光情報記録媒体３４へ集光される光は、波長６００〜９００ｎｍの範囲にある場合、第１の光源２３によりたとえばＢｌｕ−ｒａｙディスクへの情報の記録又は再生を行うことが可能であり、第２の光源２４ではＤＶＤ、ＣＤへの記録又は再生を行うことが可能となる。また、光情報記録再生装置７０において、第１の対物レンズ６により第１の光情報記録媒体３３へ集光される第１の光源は、波長３８０〜４２０ｎｍの範囲にあり、第２の対物レンズ７により第２の光情報記録媒体３４へ集光される単一又は複数の光源が波長３８０〜４２０ｎｍ、及び、波長６００〜９００ｎｍの範囲にある場合、第１の光源２３によりたとえばＢｌｕ−ｒａｙディスクへの情報の記録又は再生を行い、第２の光源２４ではＨＤ−ＤＶＤ、又は、ＤＶＤ、又は、ＣＤへの記録又は再生を行うことが可能となる。【０１０５】  なお、上記の構成において、モータ３５は本発明の駆動部に、演算処理装置３６は本発明の情報処理部に、処理回路３７は本発明の駆動制御部にそれぞれ相当する。【０１０６】  以上のような本発明の各実施の形態によれば、複数の対物レンズを有する光ピックアップを、簡易に傾き調整を行いながら製造することが可能となり、複数フォーマットの光情報記媒体の書き込み又は読み出しに対応するために、２つの対物レンズを有する光ピックアップにおいて、光ピックアップの組み立て工程における対物レンズ及びアクチュエータの傾き調整が容易に行えるようになり、作業者の負担を軽減すると共に、品質のバラつきを防止した、光ピックアップ、及び光ピックアップを有する光情報記録再生装置が製造可能となる。このような光ピックアップ及び光情報記録再生装置は、光磁気記録装置やＤＶＤ、Ｂｌｕ−ｒａｙディスク装置などの光情報記録���体を用いた光情報記録再生装置に対し有用である。また、ホログラム記録装置や将来の超高密度記録再生装置の光学系や装置用としても適用が可能である。
【産業上の利用可能性】
【０１０７】  本発明にかかる対物レンズの傾き調整方法、光ピックアップの製造方法、対物レンズの傾き調整装置、光ピックアップ部品、光ピックアップ、及び光情報記録再生装置は、複数の対物レンズを有する光ピックアップを、簡易に傾き調整を行いながら製造することを可能とする効果を有し、対物レンズの傾き調整方法、光ピックアップの製造方法、対物レンズの傾き調整装置、光ピックアップ部品、光ピックアップ、及び光情報記録再生装置等として有用である。
【図１（ａ）】
2006118221.tif 000002
【図１（ｂ）】
2006118221.tif 000003
【図１（ｃ）】
2006118221.tif 000004
【図１（ｄ）】
2006118221.tif 000005
【図１（ｅ）】
2006118221.tif 000006
【図２（ａ）】
2006118221.tif 000007
【図２（ｂ）】
2006118221.tif 000008
【図２（ｃ）】
2006118221.tif 000009
【図２（ｄ）】
2006118221.tif 000010
【図３】
2006118221.tif 000011
【図４】
2006118221.tif 000012
【図５】
2006118221.tif 000013
【図６】
2006118221.tif 000014
【図７】
2006118221.tif 000015
【手続補正書】
【提出日】平成19年5月7日(2007.5.7)
【手続補正１】
【補正対象書類名】特許請求の範囲
【補正対象項目名】全文
【補正方法】変更
【補正の内容】
【特許請求の範囲】
【請求項１】
複数の光源と、前記複数の光源からの光を光情報記録媒体へ集光する複数の対物レンズ及び前記複数の対物レンズを保持する可動体を有する光ピックアップ部品と、前記光ピックアップ部品の前記可動体を駆動するアクチュエータと、前記アクチュエータが配置されるとともに、前記複数の光源からの出射光を前記複数の対物レンズへ導く光学系が構成される基台とを有する光ピックアップにおける、前記対物レンズの傾き調整方法であって、
前記基台上の所定位置に前記光ピックアップ部品を一時的に配置した状態で、前記複数の対物レンズの前記光情報記録媒体に対する傾き調整を行う第１の傾き調整工程と、
前記第１の傾き調整工程終了後の前記複数の対物レンズの傾きを検出する傾き検出工程とを備えた、対物レンズの傾き調整方法。
【請求項２】
前記光ピックアップ部品の前記複数の対物レンズの少なくとも一つは前記可動体に予め固定されており、
前記複数の対物レンズの残りは、前記可動体内で前記光情報記録媒体に対して傾き調整可能に保持されており、
前記第１の傾き調整工程を、前記可動体に固定された前記対物レンズについては、前記可動体を動かすことにより、他の前記対物レンズについては直接動かすことにより行い、
前記第１の傾き調整工程終了後、前記他の前記対物レンズを前記可動体に固定することにより前記光ピックアップ部品を完成する工程を有する、
請求項１記載の対物レンズの傾き調整方法。
【請求項３】
前記可動体、及び前記複数の対物レンズのいずれか少なくとも一つは、光を反射する反射部を有し、
前記傾き検出工程は、前記反射部に対する傾き測定用の照射光を用いて行う、請求項１記載の対物レンズの傾き調整方法。
【請求項４】
前記反射部は、前記可動体に設けられた反射ミラーである、請求項３記載の対物レンズの傾き調整方法。
【請求項５】
前記反射部は、前記複数の対物レンズのいずれか少なくとも一つに設けられているとともに、前記対物レンズの、前記光源からの光が入射する入射面又は前記光源からの光が出射する出射面の縁部に形成された平坦部を有する、請求項３記載の対物レンズの傾き調整方法。
【請求項６】
前記平坦部は前記入射面又は出射面の周囲に形成された、所定幅ｗ（ｗ≧０．１ｍｍ）を有する環状の領域である、請求項５記載の対物レンズの傾き調整方法。
【請求項７】
前記反射部は、前記入射面又は前記出射面の、前記平坦部を有しない側にも平坦部を有し、
一方の前記平坦部は光を反射する鏡面であり、他方の前記平坦部は光を拡散する粗面である、請求項５記載の対物レンズの傾き調整方法。
【請求項８】
前記入射面の前記平坦部が前記粗面である、請求項７記載の対物レンズの傾き調整方法。
【請求項９】
前記複数の対物レンズは、第１の対物レンズ及び第２の対物レンズの２つの対物レンズである、請求項１記載の対物レンズの傾き調整方法。
【請求項１０】
前記傾き検出工程により検出した、前記対物レンズの傾きに関する情報を記録する記録工程をさらに備えた、請求項１記載の対物レンズの傾き調整方法。
【請求項１１】
前記記録工程は、前記傾きに関する情報を、前記基台、前記光ピックアップ部品及び前記アクチュエータのいずれか少なくとも一つに記録するものである、請求項１０記載の対物レンズの傾き調整方法。
【請求項１２】
前記記録工程は、前記傾きに関する情報を、バーコード情報によって記録することにより行う、請求項１０記載の対物レンズの傾き調整方法。
【請求項１３】
前記記録工程は、前記傾きに関する情報を、前記基台に設けられた集積回路に記録することにより行う、請求項１０記載の対物レンズの傾き調整方法。
【請求項１４】
前記傾き検出工程を、オートコリメータを用いて行う、請求項１記載の対物レンズの傾き調整方法。
【請求項１５】
前記第１の傾き調整工程は、前記複数の対物レンズそれぞれの出射光集光スポットが前記光源からの光の光軸に対し対称、かつ、最小となるように行う、請求項１記載の対物レンズの傾き調整方法。
【請求項１６】
前記第１の傾き調整工程は、前記第１、第２の対物レンズのそれぞれの出射光のコマ収差が最小となるように行う、請求項１記載の対物レンズの傾き調整方法。
【請求項１７】
複数の光源と、前記複数の光源からの光を光情報記録媒体へ集光する複数の対物レンズ及び前記複数の対物レンズを保持する可動体を有する光ピックアップ部品と、前記光ピックアップ部品の前記可動体を駆動するアクチュエータと、前記アクチュエータが配置されるとともに、前記複数の光源からの出射光を前記複数の対物レンズへ導く光学系が構成される基台とを有する光ピックアップの製造方法であって、
前記光ピックアップ部品と前記アクチュエータとを一体的に組み合わせる組み合わせ工程と、
前記アクチュエータと組み合わされた前記光ピックアップ部品を、前記基台上に固定する固定工程とを備え、
前記固定工程は、請求の範囲第１項に記載の対物レンズの傾き調整方法の前記傾き検出工程により得られた前記複数の対物レンズの傾きが再現されるように、前記光ピックアップ部品と組み合わされた前記アクチュエータの傾きを調整する第２の傾き調整工程を有する、光ピックアップの製造方法。
【請求項１８】
前記組み合わせ工程は、前記光ピックアップ部品と前記アクチュエータとを、前記光ピックアップ部品を駆動するためのワイヤにより接続するものである、請求項１７記載の光ピックアップの製造方法。
【請求項１９】
前記ワイヤは、少なくとも前記組み合わせ工程の前から前記ピックアップ部品に接続されているものである、請求項１８記載の光ピックアップの製造方法。
【請求項２０】
複数の光源と、前記複数の光源からの光を光情報記録媒体へ集光する複数の対物レンズ及び前記複数の対物レンズを保持する可動体を有する光ピックアップ部品と、前記光ピックアップ部品の前記可動体を駆動するアクチュエータと、前記アクチュエータが配置されるとともに、前記複数の光源からの出射光を前記複数の対物レンズへ導く光学系が構成される基台とを有する光ピックアップにおける、前記対物レンズの傾き調整装置であって、
前記基台上の所定位置に前記光ピックアップ部品を一時的に配置した状態で、前記複数の対物レンズの前記光情報記録媒体に対する傾き調整を行う第１の傾き調整部と、
前記第１の工程終了後の前記複数の対物レンズの傾きを検出する傾き検出部とを備えた、対物レンズの傾き調整装置。
【請求項２１】
前記第１の傾き調整部が検出した、前記対物レンズの傾きに関する情報を記録する記録部をさらに備えた、請求項２０記載の対物レンズの傾き調整装置。
【請求項２２】
前記記録部は、前記対物レンズの傾きに関する前記情報を、前記基台、前記光ピックアップ部品及び前記アクチュエータのいずれか少なくとも一つに記録する、請求項２１記載の対物レンズの傾き調整装置。
【請求項２３】
前記記録部は、前記傾きに関する情報を、バーコード情報によって記録することにより行う、請求項２２記載の対物レンズの傾き調整装置。
【請求項２４】
前記記録部は、前記傾きに関する情報を、前記基台に設けられた集積回路に記録することにより行う、請求項２２記載の対物レンズの傾き調整装置。
【請求項２５】
前記第１の傾き調整部は、オートコリメータを有する、請求項２０記載の対物レンズの傾き調整装置。
【請求項２６】
複数の光源からの光を光情報記録媒体へ集光する複数の対物レンズと、
前記複数の対物レンズを保持する可動体とを備え、
前記可動体、及び前記複数の対物レンズのいずれか少なくとも一つは、光を反射する反射部を有する光ピックアップ部品。
【請求項２７】
前記反射部は、前記可動体に設けられた反射ミラーである、請求項２６記載の光ピックアップ部品。
【請求項２８】
前記反射部は、前記複数の対物レンズのいずれか少なくとも一つに設けられているとともに、前記対物レンズの、前記光源からの光が入射する入射面又は前記光源からの光が出射する出射面の縁部に形成された平坦部を有する、請求項２６記載の光ピックアップ部品。
【請求項２９】
前記平坦部は前記入射面又は出射面の周囲に形成された、所定幅ｗ（ｗ≧０．１ｍｍ）を有する環状の領域である、請求項２８記載の光ピックアップ部品。
【請求項３０】
前記反射部は、前記入射面又は前記出射面の、前記平坦部を有しない側にも平坦部を有し、
一方の前記平坦部は光を反射する鏡面であり、他方の前記平坦部は光を拡散する粗面である、請求項２８記載の光ピックアップ部品。
【請求項３１】
前記入射面の前記平坦部が前記粗面である、請求項２８記載の光ピックアップ部品。
【請求項３２】
前記複数の対物レンズは、第１の対物レンズ及び第２の対物レンズの２つの対物レンズである、請求項２６記載の光ピックアップ部品。
【請求項３３】
複数の光源と、
請求項２６記載の光ピックアップ部品と、
前記光ピックアップ部品の前記可動体を駆動するアクチュエータと、
前記アクチュエータが配置されるとともに、前記複数の光源からの出射光を前記複数の対物レンズへ導く光学系が構成される基台とを備えた光ピックアップ。
【請求項３４】
前記複数の光源のうち、前記複数の対物レンズのいずれかにより前記光情報記録媒体へ集光される光は、波長３８０〜４２０ｎｍの範囲にあり、前記複数のの対物レンズの他のいずれかにより前記光情報記録媒体へ集光される光は、波長６００〜９００ｎｍの範囲にある請求項３３記載の光ピックアップ。
【請求項３５】
前記複数の光源のうち、前記複数の対物レンズのいずれかにより前記光情報記録媒体へ集光される光は、波長３８０〜４２０ｎｍの範囲にあり、前記複数の対物レンズの他のいずれかにより前記光情報記録媒体へ集光される光は、波長３８０〜４２０、及び、波長６００〜９００ｎｍの範囲にある請求項３３記載の光ピックアップ。
【請求項３６】
請求項３３記載の光ピックアップと、
光情報記録媒体を駆動する駆動部と、
前記駆動部と前記光ピックアップの前記アクチュエータとを少なくとも制御する駆動制御部と、
前記光情報記録媒体に対し記録又は再生される情報を処理する情報処理部とを備えた光情報記録再生装置。
【手続補正２】
【補正対象書類名】明細書
【補正対象項目名】全文
【補正方法】変更
【補正の内容】
【発明の詳細な説明】
【技術分野】
【０００１】
本発明は、対物レンズの傾き調整方法、光ピックアップの製造方法、対物レンズの傾き調整装置、光ピックアップ部品、光ピックアップ、及び光情報記録再生装置に関するものである。
【背景技術】
【０００２】
光ピックアップの組み立て工程では、対物レンズと光情報記録媒体との位置合わせのための対物レンズを駆動するアクチュエータの傾き調整が必要である。従来から、アクチュエータの傾きの調整方法としては、顕微鏡とカメラ、モニターを使用し、光情報記録媒体の代りに、光情報記録媒体と同じ厚さを有するカバーガラスを基準面と平行に設置して、カバーガラス上に形成される対物レンズのスポットを顕微鏡で拡大して観察し、これに基づきアクチュエータの傾きを調整する光学ヘッド調整方法が用いられている（例えば、特許文献１を参照）。
【０００３】
図７は、従来の光学ヘッド調整方法を行う調整装置について、その要部構成の一例を示す図である。同図において、１０１は光ピックアップのハウジング、１０２は偏向プリズム、１０３はアクチュエータ、１０４はネジ、１０５は対物レンズ、１０６はカバーガラス、１０７は顕微鏡、１０８はカメラ、１０９はカメラコントローラ、１１０はモニタディスプレイ、１１１はレーザ光を示す。
【０００４】
この図７に示すように、光ピックアップのハウジング１０１には、偏向プリズム１０２が設けられている。また、ハウジング１０１の上部に、アクチュエータ１０３があり、アクチュエータ１０３は、対物レンズ１０５がその内部に固定された可動部１０３ａ、可動部１０３ａを収納する筐体部１０３ｂ、及び可動部１０３ａと筐体部１０３ｂとを弾性的に保持するためのワイヤ１０３ｃとを備えている。可動部１０３には図示しないコイルが内蔵されており、筐体部１０３ｂは磁石が設けられており、コイルへの配線を兼ねたワイヤ１０３ｃへの通電によってコイルに生ずる電磁力により、可動部１０３ａは筐体部１０３ｂ内をトラッキング及びフォーカシング方向へ移動する。なお、コイルに電圧が印加されていないときは可動部１０３ａはワイヤ１０３ｃの弾性力によって保持されるが、アクチェータの調整はこの状態において行われる。
【０００５】
アクチュエータ１０３は、ネジ１０４によってハウジング１０１に固定されているが、ネジ１０４の締め方を調整することにより、アクチュエータ１０３の傾きを調整することができる。また、光情報記録媒体の保護層と同じ厚みを有するカバーガラス１０６が、アクチュエータ１０３の上部に、光ピックアップのハウジング１０１と平行に設置されている。
【０００６】
従来のアクチュエータ傾きの調整工程は、次の手順で行う。まず、偏向プリズム１０２に、レーザ光１１１を入射し、対物レンズ１０５によってカバーガラス１０６上に形成されるスポットを顕微鏡１０７で観察する。顕微鏡１０７に接続されたカメラ１０８により受像されたスポットの画像は、カメラコントローラ１０９を通して、モニタディスプレイ１１０の画面上に表示される。
【０００７】
次に、作業者は、このスポットの表示を見ながら、１次のサイドローブが対称となるように、アクチュエータ１０３の傾きを調整する。以上のような工程によって、アクチュエータ１０３の傾きの調整が行われる。
【０００８】
この調整は、アクチュエータ１０３に組み込まれている対物レンズ１０５の傾きを光情報記録媒体に対し調整することにより、スポット形状を良好にする目的で行われるものである。
【特許文献１】特開平６−３６３２１号公報
【発明の開示】
【発明が解決しようとする課題】
【０００９】
しかしながら、ＣＤ／ＤＶＤ及びＢｌｕ−ｒａｙ  Ｄｉｓｃのような複数フォーマットの光情報記録媒体の書き込み又は読み出しに対応するために、複数の光源、及びそれらに対応する複数の対物レンズを有する光ピックアップにおいては、レンズホルダを有する可動体上に配置された対物レンズそれぞれの傾き調整を行う必要がある。上記のようにアクチュエータ１０３全体の傾きを調整すると、複数の対物レンズの傾きが同一に変化するためである。
【００１０】
可動体１０３ａに２つの対物レンズが設けられる場合を考えると、各対物レンズについてはアクチュエータ１０３内で傾き調整を行うことになる。このとき、以下のような不具合が生ずる。
【００１１】
例えば、第１の対物レンズを可動体１０３ａ内に固定し、第２の対物レンズを可動体内で傾き方向に自由に調整できるように配置し、第１の対物レンズの傾き調整は可動体１０３ａ自体の傾き調整により行い、第２の対物レンズの傾き調整は、第２の対物レンズを治具により外部から保持し、その治具に接続された調整機構により傾き調整を行う方法が考えられる。
【００１２】
しかしながら、可動体はワイヤー１０３ｃにより筐体部１０３ｂと固定されているため、第１の対物レンズの傾き調整時に可動体１０３ａのみを動かすと、ワイヤー１０３ｃに曲げ、ねじれ等の負荷がかかり、ワイヤー１０３ｃが破損してしまう恐れがあった。
【００１３】
これに対し、第１の対物レンズも可動体１０３ａ内で自由に調整できるように配置すると、可動体１０３ａを別途治具によって保持する必要があるが、この保持によってもワイヤー１０３ｃに直接又は間接的に負荷がかかり、破損の恐れを避けることができなかった。
【００１４】
本発明は、このような課題を解決するためになされたもので、複数の対物レンズを有する光ピックアップを、簡易に傾き調整を行いながら製造することを可能とする対物レンズの傾き調整方法、光ピックアップの製造方法、対物レンズの傾き調整装置、光ピックアップ部品、光ピックアップ、及び光情報記録再生装置を提供することを目的とする。
【課題を解決するための手段】
【００１５】
第１の本発明は、複数の光源と、前記複数の光源からの光を光情報記録媒体へ集光する複数の対物レンズ及び前記複数の対物レンズを保持する可動体を有する光ピックアップ部品と、前記光ピックアップ部品の前記可動体を駆動するアクチュエータと、前記アクチュエータが配置されるとともに、前記複数の光源からの出射光を前記複数の対物レンズへ導く光学系が構成される基台とを有する光ピックアップにおける、前記対物レンズの傾き調整方法であって、
前記基台上の所定位置に前記光ピックアップ部品を一時的に配置した状態で、前記複数の対物レンズの前記光情報記録媒体に対する傾き調整を行う第１の傾き調整工程と、
前記第１の傾き調整工程終了後の前記複数の対物レンズの傾きを検出する傾き検出工程とを備えた、対物レンズの傾き調整方法である。
【００１６】
第２の本発明は、前記光ピックアップ部品の前記複数の対物レンズの少なくとも一つは前記可動体に予め固定されており、
前記複数の対物レンズの残りは、前記可動体内で前記光情報記録媒体に対して傾き調整可能に保持されており、
前記第１の傾き調整工程を、前記可動体に固定された前記対物レンズについては、前記可動体を動かすことにより、他の前記対物レンズについては直接動かすことにより行い、
前記第１の傾き調整工程終了後、前記他の前記対物レンズを前記可動体に固定することにより前記光ピックアップ部品を完成する工程を有する、第１の本発明の対物レンズの傾き調整方法である。
【００１７】
第３の本発明は、前記可動体、及び前記複数の対物レンズのいずれか少なくとも一つは、光を反射する反射部を有し、
前記傾き検出工程は、前記反射部に対する傾き測定用の照射光を用いて行う、第１の本発明の対物レンズの傾き調整方法である。
【００１８】
第４の本発明は、前記反射部は、前記可動体に設けられた反射ミラーである、第３の本発明の対物レンズの傾き調整方法である。
【００１９】
第５の本発明は、前記反射部は、前記複数の対物レンズのいずれか少なくとも一つに設けられているとともに、前記対物レンズの、前記光源からの光が入射する入射面又は前記光源からの光が出射する出射面の縁部に形成された平坦部を有する、第３の本発明の対物レンズの傾き調整方法である。
【００２０】
第６の本発明は、前記平坦部は前記入射面又は出射面の周囲に形成された、所定幅ｗ（ｗ≧０．１ｍｍ）を有する環状の領域である、第５の本発明の対物レンズの傾き調整方法である。
【００２１】
第７の本発明は、前記反射部は、前記入射面又は前記出射面の、前記平坦部を有しない側にも平坦部を有し、
一方の前記平坦部は光を反射する鏡面であり、他方の前記平坦部は光を拡散する粗面である、第５の本発明の対物レンズの傾き調整方法である。
【００２２】
第８の本発明は、前記入射面の前記平坦部が前記粗面である、第７の本発明の対物レンズの傾き調整方法である。
【００２３】
第９の本発明は、前記複数の対物レンズは、第１の対物レンズ及び第２の対物レンズの２つの対物レンズである、第１の本発明の対物レンズの傾き調整方法である。
【００２４】
第１０の本発明は、前記傾き検出工程により検出した、前記対物レンズの傾きに関する情報を記録する記録工程をさらに備えた、第１の本発明の対物レンズの傾き調整方法である。
【００２５】
第１１の本発明は、前記記録工程は、前記傾きに関する情報を、前記基台、前記光ピックアップ部品及び前記アクチュエータのいずれか少なくとも一つに記録するものである、第１０の本発明の対物レンズの傾き調整方法である。
【００２６】
第１２の本発明は、前記記録工程は、前記傾きに関する情報を、バーコード情報によって記録することにより行う、第１０の本発明の対物レンズの傾き調整方法である。
【００２７】
第１３の本発明は、前記記録工程は、前記傾きに関する情報を、前記基台に設けられた集積回路に記録することにより行う、第１０の本発明の対物レンズの傾き調整方法である。
【００２８】
第１４の本発明は、前記傾き検出工程を、オートコリメータを用いて行う、第１の本発明の対物レンズの傾き調整方法である。
【００２９】
第１５の本発明は、前記第１の傾き調整工程は、前記複数の対物レンズそれぞれの出射光集光スポットが前記光源からの光の光軸に対し対称、かつ、最小となるように行う、第１の本発明の対物レンズの傾き調整方法である。
【００３０】
第１６の本発明は、前記第１の傾き調整工程は、前記第１、第２の対物レンズのそれぞれの出射光のコマ収差が最小となるように行う、第１の本発明の対物レンズの傾き調整方法である。
【００３１】
第１７の本発明は、複数の光源と、前記複数の光源からの光を光情報記録媒体へ集光する複数の対物レンズ及び前記複数の対物レンズを保持する可動体を有する光ピックアップ部品と、前記光ピックアップ部品の前記可動体を駆動するアクチュエータと、前記アクチュエータが配置されるとともに、前記複数の光源からの出射光を前記複数の対物レンズへ導く光学系が構成される基台とを有する光ピックアップの製造方法であって、
前記光ピックアップ部品と前記アクチュエータとを一体的に組み合わせる組み合わせ工程と、
前記アクチュエータと組み合わされた前記光ピックアップ部品を、前記基台上に固定する固定工程とを備え、
前記固定工程は、第１の本発明の対物レンズの傾き調整方法の前記傾き検出工程により得られた前記複数の対物レンズの傾きが再現されるように、前記光ピックアップ部品と組み合わされた前記アクチュエータの傾きを調整する第２の傾き調整工程を有する、光ピックアップの製造方法である。
【００３２】
第１８の本発明は、前記組み合わせ工程は、前記光ピックアップ部品と前記アクチュエータとを、前記光ピックアップ部品を駆動するためのワイヤにより接続するものである、第１７の本発明の光ピックアップの製造方法である。
【００３３】
第１９の本発明は、前記ワイヤは、少なくとも前記組み合わせ工程の前から前記ピックアップ部品に接続されているものである、第１８の本発明の光ピックアップの製造方法である。
【００３４】
第２０の本発明は、複数の光源と、前記複数の光源からの光を光情報記録媒体へ集光する複数の対物レンズ及び前記複数の対物レンズを保持する可動体を有する光ピックアップ部品と、前記光ピックアップ部品の前記可動体を駆動するアクチュエータと、前記アクチュエータが配置されるとともに、前記複数の光源からの出射光を前記複数の対物レンズへ導く光学系が構成される基台とを有する光ピックアップにおける、前記対物レンズの傾き調整装置であって、
前記基台上の所定位置に前記光ピックアップ部品を一時的に配置した状態で、前記複数の対物レンズの前記光情報記録媒体に対する傾き調整を行う第１の傾き調整部と、
前記第１の工程終了後の前記複数の対物レンズの傾きを検出する傾き検出部とを備えた、対物レンズの傾き調整装置である。
【００３５】
第２１の本発明は、前記第１の傾き調整部が検出した、前記対物レンズの傾きに関する情報を記録する記録部をさらに備えた、第２０の本発明の対物レンズの傾き調整装置である。
【００３６】
第２２の本発明は、前記記録部は、前記対物レンズの傾きに関する前記情報を、前記基台、前記光ピックアップ部品及び前記アクチュエータのいずれか少なくとも一つに記録する、第２１の本発明の対物レンズの傾き調整装置である。
【００３７】
第２３の本発明は、前記記録部は、前記傾きに関する情報を、バーコード情報によって記録することにより行う、第２２の本発明の対物レンズの傾き調整装置である。
【００３８】
第２４の本発明は、前記記録部は、前記傾きに関する情報を、前記基台に設けられた集積回路に記録することにより行う、第２２の本発明の対物レンズの傾き調整装置である。
【００３９】
第２５の本発明は、前記第１の傾き調整部は、オートコリメータを有する、第２０の本発明の対物レンズの傾き調整装置である。
【００４０】
第２６の本発明は、複数の光源からの光を光情報記録媒体へ集光する複数の対物レンズと、
前記複数の対物レンズを保持する可動体とを備え、
前記可動体、及び前記複数の対物レンズのいずれか少なくとも一つは、光を反射する反射部を有する光ピックアップ部品である。
【００４１】
第２７の本発明は、前記反射部は、前記可動体に設けられた反射ミラーである、第２６の本発明の光ピックアップ部品である。
【００４２】
第２８の本発明は、前記反射部は、前記複数の対物レンズのいずれか少なくとも一つに設けられているとともに、前記対物レンズの、前記光源からの光が入射する入射面又は前記光源からの光が出射する出射面の縁部に形成された平坦部を有する、第２６の本発明の光ピックアップ部品である。
【００４３】
第２９の本発明は、前記平坦部は前記入射面又は出射面の周囲に形成された、所定幅ｗ（ｗ≧０．１ｍｍ）を有する環状の領域である、第２８の本発明の光ピックアップ部品である。
【００４４】
第３０の本発明は、前記反射部は、前記入射面又は前記出射面の、前記平坦部を有しない側にも平坦部を有し、
一方の前記平坦部は光を反射する鏡面であり、他方の前記平坦部は光を拡散する粗面である、第２８の本発明の光ピックアップ部品である。
【００４５】
第３１の本発明は、前記入射面の前記平坦部が前記粗面である、第２８の本発明の光ピックアップ部品である。
【００４６】
第３２の本発明は、前記複数の対物レンズは、第１の対物レンズ及び第２の対物レンズの２つの対物レンズである、第２６の本発明の光ピックアップ部品である。
【００４７】
第３３の本発明は、複数の光源と、
第２６の本発明の光ピックアップ部品と、
前記光ピックアップ部品の前記可動体を駆動するアクチュエータと、
前記アクチュエータが配置されるとともに、前記複数の光源からの出射光を前記複数の対物レンズへ導く光学系が構成される基台とを備えた光ピックアップである。
【００４８】
第３４の本発明は、前記複数の光源のうち、前記複数の対物レンズのいずれかにより前記光情報記録媒体へ集光される光は、波長３８０〜４２０ｎｍの範囲にあり、前記複数のの対物レンズの他のいずれかにより前記光情報記録媒体へ集光される光は、波長６００〜９００ｎｍの範囲にある第３３の本発明の光ピックアップである。
【００４９】
第３５の本発明は、前記複数の光源のうち、前記複数の対物レンズのいずれかにより前記光情報記録媒体へ集光される光は、波長３８０〜４２０ｎｍの範囲にあり、前記複数の対物レンズの他のいずれかにより前記光情報記録媒体へ集光される光は、波長３８０〜４２０、及び、波長６００〜９００ｎｍの範囲にある第３３の本発明の光ピックアップである。
【００５０】
第３６の本発明は、第３３の本発明の光ピックアップと、
光情報記録媒体を駆動する駆動部と、
前記駆動部と前記光ピックアップの前記アクチュエータとを少なくとも制御する駆動制御部と、
前記光情報記録媒体に対し記録又は再生される情報を処理する情報処理部とを備えた光情報記録再生装置である。
【発明の効果】
【００５１】
以上のような本発明によれば、例えば、複数フォーマットの光情報記録媒体の書き込み又は読み出しに対応するために、２つの対物レンズを有する光ピックアップの調整において、前記可動体を保持するワイヤーが破損することなく対物レンズ及びアクチュエータの傾き調整を容易に行うことが可能となる。
【００５２】
また、以上のように本発明によれば、複数の対物レンズを有する光ピックアップを、簡易に傾き調整が行いながら製造することが可能となる。
【発明を実施するための最良の形態】
【００５３】
以下、本発明の実施の形態を、図面を参照しながら説明する。
（実施の形態１）
実施の形態１では、本発明の対物レンズの傾き調整方法、光ピックアップの製造方法、対物レンズの傾き調整装置、光ピックアップの一例について説明する。
【００５４】
図１は、本発明の実施の形態１による対物レンズの傾き調整装置の構成図である。
【００５５】
以下、図１を用いて、同図の（ａ）、（ｂ）、（ｃ）、（ｄ）、（ｅ）の順で、本実施の形態１による対物レンズの傾き調整装置の動作を説明するとともに、これにより、本発明の対物レンズの傾き調整方法、光ピックアップの製造方法の一実施の形態について説明する。
【００５６】
図１（ａ）において、１から７は光ピックアップの構成要素であり、１は光ピックアップの光源に対応する調整用の第１のレーザビーム、２は同第２のレーザビーム、３は、第１のレーザビーム１及び第２のレーザビーム２をそれぞれの対物レンズ側に反射する反射プリズム、４は光ピックアップのハウジング、５はアクチュエータの可動体、６は第１の対物レンズ、７は第２の対物レンズを示す。
【００５７】
また、８から１５は光ピックアップにおける第１及び第２の対物レンズから出射される収束光の集光スポットの形状を評価するスポット観測系であり、８及び９はそれぞれ第１の対物レンズ６及び第２の対物レンズ７により情報が記録又は再生される光情報記録媒体の保護層と光学的に等価な厚みを有する第１のカバーガラス、及び第２のカバーガラスである。
【００５８】
１０及び１１は、第１の対物レンズ６からの第１の出射光と、第２の対物レンズ７からの第２の出射光をそれぞれ第１のカメラ１２及び第２のカメラ１３に結像する第１の顕微鏡及び第２の顕微鏡である。第１のカメラ１２及び第２のカメラ１３によって受光されたスポット画像は、カメラコントローラ１４を通してモニタディスプレイ１５の画面上にスポットが表示される。
【００５９】
また、１６は可動体５を一時的に固定する第１の傾き調整機構であり、可動体５の向き、傾きを調整することができる。１７は第２の対物レンズ７を一時的に固定する第２の傾き調整機構である。可動体５において第１の対物レンズ６は固定されているので、第１の傾き調整機構１６により第１の対物レンズの傾きを調整することができる。また、第２の対物レンズ７は可動体５には固定されていないため、第２の傾き調整機構１７により直接その傾きを調整する。
【００６０】
また、第１の傾き調整機構は可動体５を、ハウジング４上における光ピックアップ実装時の位置に対応するような位置に配置しているのが望ましいが、任意の配置であってもよい。
【００６１】
なお、上記の構成において、ハウジング４は本発明の基台に相当し、可動体５は本発明の可動体に相当する。第１の対物レンズ６及び第２の対物レンズ７は本発明の複数の対物レンズに相当する。第１のカバーガラス８，第２のカバーガラス９，第１の顕微鏡１０，第２の顕微鏡１１、第１のカメラ１２、第２のカメラ１３、カメラコントローラ１４及びモニタディスプレイ１５から構成されるスポット観測系と、第１の傾き調整機構１６と、第２の傾き調整機構１７とは、本発明の第１の傾き調整手段に相当する。
【００６２】
次に、本装置による調整の手順であるが、まず、反射プリズム３に対し光ピックアップの、ハウジング内に設けられた図示しない光源から出力される第１のレーザビーム１及び第２のレーザビーム２をそれぞれ反射させることにより得られる、第１の対物レンズ６からの第１の出射光と、第２の対物レンズ７からの第２の出射光のそれぞれが、第１のカバーガラス８，第２のカバーガラス９上に形成するスポット像がモニタディスプレイ１５に映るように、第１の顕微鏡１０及び第２の顕微鏡１１の焦点合わせ、及び第１の対物レンズ６と、第２の対物レンズ７の、光軸方向と垂直な面方向への位置合わせを行う。
【００６３】
光軸方向と垂直な面方向への位置合わせは、たとえば第１の対物レンズ６からの第１の出射光の光量分布が、第１の対物レンズのトラッキング方向及びトラッキング方向に垂直なラジアル方向に対し略対称となるように調整すれば、コマ収差の少ない集光スポットを得ることができる。第２の対物レンズ７についても同様である。
【００６４】
次に、モニタディスプレイ１５の画面上に表示されるスポット画像が最適となるように、すなわち、スポット画像のメインローブが略円形であり、さらにメインローブ周辺に現れる１次リングがスポットの中心に対し回転対称に生じるように、第１の対物レンズ６の傾き調整と第２の対物レンズ７の傾き調整を行う。
【００６５】
上述したように、第１の対物レンズ６は可動体５に固定されており、第１の傾き調整機構１６により可動体５の傾き調整を行う。第２の対物レンズ７は可動体５には固定されておらず、傾き方向に調整可能な構成となっており、第２の傾き調整機構１７により傾き調整を行う。
【００６６】
第１の対物レンズ６の傾き調整と第２の対物レンズ７の傾き調整が完了した後、第２の対物レンズ７を可動体５に固定し、第２の傾き調整機構１７から切り離す。
【００６７】
これにより可動体５と第１の対物レンズ６，第２の対物レンズ７は一体化して、本発明の光ピックアップ部品が完成される。なお、可動体５は第１の傾き調整機構１６により保持された状態を保ち、ハウジング４と可動体５との位置関係が保持されるようにするのが望ましいが、位置に変化が生じてもよい。
【００６８】
第１の対物レンズ６と第２の対物レンズ７の傾き調整が完了した後、第１の対物レンズ６又は第２の対物レンズ７の傾き測定を、オートコリメータ１９から出射するレーザ光１８の反射光によって測定する（図１（ｂ））。オートコリメータを使用すれば、レーザ光１８として太い系の光を用いることができ、容易に角度の検出を行うことができる。なお、レーザ光１８は本発明の傾き測定用の照射光に相当する。ただし、オートコリメータ１９によらず、他の測定手段を用いても良い。
【００６９】
ここでは第１の対物レンズ６の傾きをオートコリメータ１９により測定する場合について説明する。第１の対物レンズ６の出射側の面には、レーザ光１８が反射するようにコバ面に所定の反射率を有する平坦部が形成されている。この平坦部はレンズ成型に用いる金型にあらかじめ設けられており、レンズ成型と同時に平坦部が形成されるようになっており、容易に平坦部を確保することが可能である。図１（ｂ）に示す例は、対物レンズ６の平坦面がオートコリメータ１９のレーザ光１８の光軸に直交しているため入射光と同一方向に反射光が発生しているが、実際には、図６（ｂ）に示すように、図１（ａ）に示す傾き調整によって第１の対物レンズ６は傾斜しているため、オートコリメータ１９から入射するレーザ光１８は、平坦部Ａを反射面として反射レーザ光１８′としてオートコリメータ１９に帰還する。このときの反射角αが、第１の対物レンズ６のオートコリメータ１９に対する傾きに関する情報として用いられる。この傾きに関する情報が、本発明の傾きに関する情報に相当する。
【００７０】
第１の対物レンズ６の傾き測定が完了した後、可動体５を第１の傾き調整機構１６から切り離して一旦、ハウジング４上から取り外す。
【００７１】
取り外した可動体５は、図１（ｃ）に示すように別途用意した筐体部２１ａ内に配置し、図１（ｄ）に示すように駆動用のワイヤー２１ｂによって筐体部２１ａと接続することにより一体的になるよう組み立てて、アクチュエータ２２として完成させる。ここでアクチュエータ２２を完成するための組み立て工程は、本発明の組み合わせ工程に相当する。
【００７２】
図１（ｅ）に示すように、完成したアクチュエータ２２を再びハウジング４上の所定位置に一時的に固定する。このときアクチュエータ２２は、ハウジング４の下部から第３の傾き調整手段２０によって筐体部２１ａが保持されることにより固定される。
【００７３】
この状態で、オートコリメータ１９からレーザ光１８を第１の対物レンズ６に向けて照射し、前述した平坦部からの反射光によって第１の対物レンズ６の傾きが、図１（ｂ）の状態、すなわちオートコリメータ１９に対する第１の対物レンズ６を含む可動部５の位置関係が再現されるように、アクチュエータ２２全体の傾きを第３の傾き調整手段２２によって調整する。アクチュエータ２２において可動部５，筐体部２１ａはワイヤー２１ｂにより接続され一体化しているため、アクチュエータ２２の傾き制御によって第１の対物レンズ６の姿勢も連動して制御される。また、第３の傾き調整手段２０はアクチュエータ２２を、筐体部２１ａの底面から保持しているため、傾き調整によってワイヤー２１ｂに負荷がかかることはない。
【００７４】
最後に調整後の位置を保持しながらハウジング４上へアクチュエータ２２を固定し、第３の傾き調整手段２０とアクチュエータ２２とを切り離せば、光ピックアップの対物レンズ及びアクチュエータの傾き調整が完了する。
以上の調整により、２つの対物レンズを有する光ピックアップにおける対物レンズの傾き調整において、可動体を保持するワイヤーを破損することなく対物レンズ及びアクチュエータの傾き調整を容易に行うことが可能となる。
【００７５】
図１（ａ）においては、第１の対物レンズ６と第２の対物レンズ７の傾き調整は、対物レンズ６、７それぞれから第１のカバーガラス８，第２のカバーガラス９を透過する出射光のスポット形状の目視による観測により行ったが、たとえばマッハツェンダ干渉計や、マイケルソン干渉計や、シアリング干渉計などの干渉縞測定装置により、各対物レンズの出射光の波面収差、又はコマ収差成分を観測し、波面収差やコマ収差が最小となるように傾き調整を行うと、さらに高精度な調整を行うことが可能となり、コマ収差の少ない集光スポットを得ることができる。これら測定装置を用いた場合は、傾き調整が定量的に行うことができる利点がある。要するに、本発明の第１の傾き調整工程は、その具体的な手法の内容により限定されるものではない。
【００７６】
また、図１（ａ）、（ｂ）、（ｅ）に示す各工程は共通の装置で作業を行うが、図１（ｂ）の工程が終了した後、一旦、ハウジング４も装置から取り外し、図１（ｅ）に示す工程のみ、別途装置を用いて行えば、図１（ｂ）に示す工程が終了した後、アクチュエータ２２が完成するまで図１（ｅ）に示す工程の開始を待つ必要がなくなり、作業時間を短縮することが可能となる。
【００７７】
この場合、また、オートコリメータ１９により測定された、第１の対物レンズの傾き情報も管理する必要がある。この場合、たとえば可動体５の識別情報と第１の対物レンズ６の傾き情報を可動体５に記録しておけば、傾き情報の管理が容易となる。記録の方法としては、たとえば、可動体５のいずれかに情報内容を記録したバーコードシール３９を貼り付けるようにすればよい。
【００７８】
また、可動体５とハウジング４との組み合わせで管理する場合は、ハウジング４にバーコードシール３９を張り付けるようにしてもよい。このときさらに、ハウジング４へ取り付けた集積回路へ情報を記録してもよい。このとき、集積回路は光ピックアップの動作制御に用いられる汎用品の記憶領域を用いるようにすればよい。また、傾き情報はＩＣチップ等に記録しておき、ハウジング４及び／又は可動体５に取り付けるようにしておいてもよい。
【００７９】
（実施の形態２）
実施の形態２では、本発明の対物レンズの傾き調整方法の他の一例について説明する。
【００８０】
図２は実施の形態２における対物レンズの傾き調整調整方法を示す図である。図２（ａ）〜（ｄ）に示す、第１の傾き調整機構１６，第２の傾き調整機構１７及び第３の傾き調整機構２０による各部の調整は、実施の形態１で説明したものと同様の工程であるため、重複する説明は省略する。
【００８１】
本実施の形態は、実施の形態１とは異なり、図２（ａ）に示す工程において、第１の対物レンズ６と第２の対物レンズ７の傾き調整を行う時点で可動体５には、可動体５をアクチュエータ２２の筐体部２１ａに保持するためのワイヤー２１ｂが予め取り付けられている。なお、同図に示すように、ワイヤー２１ｂの、可動体５に取り付けられていない側の端部には、筐体部２１ａとワイヤー２１ｂとの電気的接続を保つためのプリント基板２１ｃが予め取り付けられている。
【００８２】
また、第１の傾き調整機構１６は、可動体５のみと接触するように保持されており、ワイヤー２１ｂには負荷がかからない構成となっている。また、プリント基板２１ｃはワイヤー２１ｂに対し負荷がかからない程度の重量となっており、傾き調整によってワイヤー２１はこちらから影響を受けることはない。
【００８３】
第１の対物レンズ６の傾き調整が完了した後、一旦、第１の傾き調整機構１６から可動体５を切り離し、ハウジング４上から取り除く。図２（ｃ）に示すように、ワイヤー２１ｂが装着された状態の可動部５を筐体部２１ｃ内に配置し、プリント基板２１ｃと筐体部２１ａとを接続し、可動部５と筐体部２１ｃとの電気的接続を行って、アクチュエータ２２を完成させる。
【００８４】
ワイヤー２１ｂの取り付けは作業が難しく、組み立てタクトが長いが、本実施の形態においてはワイヤーが既に可動部５に取り付けられているため、図２（ｂ）と図２（ｄ）の調整工程間の組み立てタクトが短くなり、装置の待機時間を短くすることが可能となり、作業性が向上する。
【００８５】
（実施の形態３）
実施の形態３では、本発明の光ピックアップ部品を構成する対物レンズ、可動部の一例について説明する。
【００８６】
実施の形態１及び、実施の形態２においては、第１の対物レンズの出射側の面に、オートコリメータ１９からのレーザ光１８の反射面となる平坦部が形成されていたが、その具体的な構成を図３（ａ）〜（ｃ）に示す。なお、以下の説明においては第１の対物レンズ６を例とするが、第２の対物レンズ７に適用する場合も同様の構成となる。
【００８７】
図３（ａ）、（ｂ）、（ｃ）は、それぞれ、第１の対物レンズ６の上面図、側面図、下面図であり、各図において、レンズのコバ部を含む縁部には、光ピックアップの光源からの光の出射側に平坦な面である平坦部６１ａが、又光源からの光の入射側には同様の平坦部６１ｂがそれぞれ設けられている。図３（ａ）（ｃ）に示すように、コバ部の形状を利用して、平坦部６１ａ、６１ｂは対物レンズ６の光の入射面及び出射面の周囲を取り巻く環状の領域として形成されている。
【００８８】
平坦部６１ａ、６１ｂは、良好な反射を得るために少なくとも０．１ｍｍ以上の幅ｗを持つことが望ましい。０．１ｍｍより小さいと反射光量が不十分となり、平坦部６１ａ、６１ｂからの反射光と、平坦部６１ａ、６１ｂの端面から反射する回折光とが識別できなくなり、第１の対物レンズ６の角度の検出が困難となる恐れがあるからである。
【００８９】
また、第１の対物レンズ６の入射面６２ｂ及び出射面６２ａに、第１のレンズ６を透過する光の波長に合わせ、誘電体膜などによる無反射コーティングを行い、第１の対物レンズ６を透過する透過光の透過率を改善することができるが、無反射コートは光の透過率が完全に１００％ではなく、例えば、９８％程度であるため、反射光を得ることができ、第１の対物レンズ６の角度の検出は可能である。
【００９０】
さらに、平坦部６１ａ、６１ｂの平行度が良くない場合は、平坦部６１ａ、６１ｂから２重に反射光が戻ってくるため、第１の対物レンズ６の角度検出が困難となる恐れがある。そこで、下面（ｂ）部を光を拡散する粗面とすることにより、反射光が上面（ａ）からのみとなり、第１の対物レンズ６の角度検出が容易に行える。
【００９１】
また、オートコリメータ１９からのレーザ光１８の反射面は、必ずしも第１の対物レンズ６に形成される平坦面上に設ける必要はなく、アクチュエータ２２の可動体５に形成されていてもよい。実施の形態１，２において、第１の対物レンズ６，第２の対物レンズ７の傾き検出、調整は、これらレンズと一体になった可動部５を調整することにより行われており、第１の対物レンズ６及び第２の対物レンズ７の傾きはそのまま可動部５の傾きとして検出されるからである。
【００９２】
ここで図４（ａ）、（ｂ）は、可動体５に反射部を設けた例であり、図４（ａ）は可動体５の平面図、図４（ｂ）は可動体５の側面図である。各図に示すように、反射部５１は、可動部５の上面、各対物レンズの光の出射面側に設けた。
【００９３】
可動体に平坦部を形成すれば、第１の対物レンズ６のコバ部に平坦部を十分確保する必要が無くなり、コバ部を薄く、すなわち平面図である図４（ａ）からみて平坦部の幅ｗを減らすことにより外径寸法を小さくおさえ、第１の対物レンズ６の重量を軽くすることができる。その結果、可動子５の重量が軽くなり、アクチュエータ２２の周波数特性を改善することが可能となる。
（実施の形態４）
実施の形態４では、本発明の光ピックアップ、及びその光ピックアップを光情報記録媒体に対して信号の記録及び再生を行う光情報記録再生装置へ適用した例について説明する。
【００９４】
図５に実施の形態４における光情報記録再生装置の構成を模式的に示す。同図に示す光情報記録再生装置７０は、本発明の実施の形態１から実施の形態３項に記載の光ピックアップ３８と、モータ３５と、演算処理装置３６と、光ピックアップ駆動回路４０と、処理回路３７とを備える。なお、図１と同一または相当部には、同一符号を付し、詳細な説明は省略する。
【００９５】
光ピックアップ３８において、第１の対物レンズ６及び第２の対物レンズ７により出射された光は、それぞれ第１の光情報記録媒体３３及び第２の光情報記録媒体３４上に集光される。
【００９６】
第１の光情報記録媒体３３及び第２の光情報記録媒体３４から反射された光は、それぞれ第１の対物レンズ６及び第２の対物レンズ７を透過し、反射プリズム３により反射され、さらにそれぞれ第１のビームスプリッタ２６及び第２のビームスプリッタ２７で反射され、それぞれ第１の集光レンズ２９及び第２の集光レンズ３０により、それぞれ第１の光検出器３１及び第２の光検出器３２に集光される。
【００９７】
第１の光検出器３１及び第２の光検出器３２からの出力は演算処理装置３６により、集光された光に応じて第１の光情報記録媒体３３及び第２の光情報記録媒体３４上における光の合焦状態を示すフォーカス誤差信号を出力し、また光の照射位置を示すトラッキング誤差信号を出力する。ここで、フォーカス誤差信号とトラッキング誤差信号は周知の技術により、たとえば非点収差法とプッシュプル法等により検出される。
【００９８】
図示していないフォーカス制御手段はフォーカス誤差信号に基づき常に光が合焦状態で第１の光情報記録媒体３３及び第２の光情報記録媒体３４上に集光されるように第１の対物レンズ６及び第２の対物レンズ７の位置をその光軸方向に制御する。また図示していないトラッキング制御手段は、トラッキング誤差信号に基づき、光を第１の光情報記録媒体３３及び第２の光情報記録媒体３４上の所望のトラックに集光されるように第１の対物レンズ６及び第２の対物レンズ７の位置を制御する。また、第１の光検出器３１及び第２の光検出器３２からは第１の光情報記録媒体３３及び第２の光情報記録媒体３４に記録された情報をも得ている。なお、光ピックアップ３８において、アクチュエータ２２以外の各構成部分は、実施の形態１、２のハウジング４に収納されている。
【００９９】
次に、光情報記録再生装置７０の動作について説明する。まず、光情報記録再生装置７０に第１の光情報記録媒体３３又は第２の光情報記録媒体３４がセットされると、処理回路３７はモータ３５を回転させる信号を出力し、モータ３５を回転させる。次に、処理回路３７は、第１の光源２３又は第２の光源２４を駆動し光を出射させる。第１の光源２３又は第２の光源２４から出射された光は、第１の光情報記録媒体３３又は第２の光情報記録媒体３４で反射され、第１の光検出器３１又は第２の光検出器３２に入射する。
【０１００】
第１の光検出器３１又は第２の光検出器は、第１の光情報記録媒体３３又は第２の光情報記録媒体３４上における光の合焦状態を示すフォーカス誤差信号と、光の照射位置を示すトラッキング誤差信号を処理回路３７に出力する。これらの信号に基づき、処理回路３７はアクチュエータ２２を制御する信号を出力し、これによって第１の光源２３又は第２の光源２４から出射された光を第１の光情報記録媒体３３又は第２の光情報記録媒体３４上の所望のトラック上に集光させる。また、処理回路３７は、第１の光検出器３１又は第２の光検出器３２から出力される信号に基づいて、第１の光情報記録媒体３３又は第２の光情報記録媒体３４に記録されている情報を再生する。また、第１の光情報記録媒体３３又は第２の光情報記録媒体３４に対して情報を記録する場合には、演算処理装置３６が変調された電気信号を第１の光源又は第２の光源２４に出力することにより、各部が再生時と同様の動作を行ってトラッキング及びフォーカスを調整して、光によるデータ書き込みを各媒体に対して実行する。なお、第１の光情報記録媒体３３又は第２の光情報記録媒体３４の各情報記録面上移動は、処理回路３７の制御により、光ピックアップ駆動回路４０が、光ピックアップ３８を各媒体の半径方向に移動させることにより行う。
【０１０１】
また、光情報記録再生装置７０において、第１の対物レンズ６により第１の光情報記録媒体３３へ集光される第１の光源２３は、波長３８０〜４２０ｎｍの範囲にあり、第２の対物レンズ７により第２の光情報記録媒体３４へ集光される光は、波長６００〜９００ｎｍの範囲にある場合、第１の光源２３によりたとえばＢｌｕ−ｒａｙディスクへの情報の記録又は再生を行うことが可能であり、第２の光源２４ではＤＶＤ、ＣＤへの記録又は再生を行うことが可能となる。また、光情報記録再生装置７０において、第１の対物レンズ６により第１の光情報記録媒体３３へ集光される第１の光源は、波長３８０〜４２０ｎｍの範囲にあり、第２の対物レンズ７により第２の光情報記録媒体３４へ集光される単一又は複数の光源が波長３８０〜４２０ｎｍ、及び、波長６００〜９００ｎｍの範囲にある場合、第１の光源２３によりたとえばＢｌｕ−ｒａｙディスクへの情報の記録又は再生を行い、第２の光源２４ではＨＤ−ＤＶＤ、又は、ＤＶＤ、又は、ＣＤへの記録又は再生を行うことが可能となる。
【０１０２】
なお、上記の構成において、モータ３５は本発明の駆動部に、演算処理装置３６は本発明の情報処理部に、処理回路３７は本発明の駆動制御部にそれぞれ相当する。
【０１０３】
以上のような本発明の各実施の形態によれば、複数の対物レンズを有する光ピックアップを、簡易に傾き調整を行いながら製造することが可能となり、複数フォーマットの光情報記媒体の書き込み又は読み出しに対応するために、２つの対物レンズを有する光ピックアップにおいて、光ピックアップの組み立て工程における対物レンズ及びアクチュエータの傾き調整が容易に行えるようになり、作業者の負担を軽減すると共に、品質のバラつきを防止した、光ピックアップ、及び光ピックアップを有する光情報記録再生装置が製造可能となる。このような光ピックアップ及び光情報記録再生装置は、光磁気記録装置やＤＶＤ、Ｂｌｕ−ｒａｙディスク装置などの光情報記録媒体を用いた光情報記録再生装置に対し有用である。また、ホログラム記録装置や将来の超高密度記録再生装置の光学系や装置用としても適用が可能である。
【産業上の利用可能性】
【０１０４】
本発明にかかる対物レンズの傾き調整方法、光ピックアップの製造方法、対物レンズの傾き調整装置、光ピックアップ部品、光ピックアップ、及び光情報記録再生装置は、複数の対物レンズを有する光ピックアップを、簡易に傾き調整を行いながら製造することを可能とする効果を有し、対物レンズの傾き調整方法、光ピックアップの製造方法、対物レンズの傾き調整装置、光ピックアップ部品、光ピックアップ、及び光情報記録再生装置等として有用である。
【図面の簡単な説明】
【０１０５】
【図１（ａ）】本発明の実施の形態１にかかる対物レンズの傾き調整方法及び調整装置を説明するための図である。
【図１（ｂ）】本発明の実施の形態１にかかる対物レンズの傾き調整方法及び調整装置を説明するための図である。
【図１（ｃ）】本発明の実施の形態１にかかる対物レンズの傾き調整方法及び調整装置を説明するための図である。
【図１（ｄ）】本発明の実施の形態１にかかる対物レンズの傾き調整方法及び調整装置を説明するための図である。
【図１（ｅ）】本発明の実施の形態１にかかる対物レンズの傾き調整方法及び調整装置を説明するための図である。
【図２（ａ）】本発明の実施の形態２にかかる対物レンズの傾き調整方法及び調整装置を説明するための図である。
【図２（ｂ）】本発明の実施の形態２にかかる対物レンズの傾き調整方法及び調整装置を説明するための図である。
【図２（ｃ）】本発明の実施の形態２にかかる対物レンズの傾き調整方法及び調整装置を説明するための図である。
【図２（ｄ）】本発明の実施の形態２にかかる対物レンズの傾き調整方法及び調整装置を説明するための図である。
【図３】（ａ）本発明の実施の形態３にかかる対物レンズに形成された平坦部の構成を説明する平面図である。（ｂ）本発明の実施の形態３にかかる対物レンズに形成された平坦部の構成を説明する側面図である。（ｃ）本発明の実施の形態３にかかる対物レンズに形成された平坦部の構成を説明する底面図である。
【図４】（ａ）本発明の実施の形態３にかかる駆動部に形成された反射部の構成を説明する平面図である。（ｂ）本発明の実施の形態３にかかる駆動部に形成された反射部の構成を説明する側面図である。
【図５】本発明の実施の形態４にかかる光情報記録再生装置の構成図である。
【図６】本発明の実施の形態１にかかる対物レンズの傾き調整方法を説明するための図である。
【図７】従来の光学ヘッド調整工程を行う調整装置について、その要部構成の一例を示す図である。
【符号の説明】
【０１０６】
１．第１のレーザビーム
２．第２のレーザビーム
３．反射プリズム
４．基台
５．可動体
６．第１の対物レンズ
７．第２の対物レンズ
８．第１のカバーガラス
９．第２のカバーガラス
１０．第１の顕微鏡
１１．第２の顕微鏡
１２．第１のカメラ
１３．第２のカメラ
１４．カメラコントローラ
１５．モニタディスプレイ
１６．第１の傾き調整機構
１７．第２の傾き調整機構
１８．レーザ光
１９．オートコリメータ
２０．第３の傾き調整機構
２１ａ．筐体部
２１ｂ．ワイヤー
２１ｃ．プリント基板
２２．アクチュエータ
２３．第１の光源
２４．第２の光源
２５．第１のコリメータレンズ
２６．第２のコリメータレンズ
２７．第１のビームスプリッタ
２８．第２のビームスプリッタ
２９．第１のレンズ
３０．第２のレンズ
３１．第１の光検出器
３２．第２の光検出器
３３．第１の光情報記録媒体
３４．第２の光情報記録媒体
３５．モータ
３６．演算処理装置
３７．処理回路
３８．光ピックアップ
３９．バーコードシール
４０．光ピックアップ駆動回路
６１ａ、６１ｂ．平坦部
６２ａ．出射面
６２ｂ．入射面
５１．反射部
７０  光情報記録再生装置
１０１．ハウジング
１０２．偏向プリズム
１０３．アクチュエータ
１０４．ネジ
１０５．対物レンズ
１０６．カバーガラス
１０７．顕微鏡
１０８．カメラ
１０９．カメラコントローラ
１１０．モニタディスプレイ
１１１．レーザ光
【手続補正３】
【補正対象書類名】図面
【補正対象項目名】全図
【補正方法】変更
【補正の内容】
【図１（ａ）】
2006118221.tif 000016
【図１（ｂ）】
2006118221.tif 000017
【図１（ｃ）】
2006118221.tif 000018
【図１（ｄ）】
2006118221.tif 000019
【図１（ｅ）】
2006118221.tif 000020
【図２（ａ）】
2006118221.tif 000021
【図２（ｂ）】
2006118221.tif 000022
【図２（ｃ）】
2006118221.tif 000023
【図２（ｄ）】
2006118221.tif 000024
【図３】
2006118221.tif 000025
【図４】
2006118221.tif 000026
【図５】
2006118221.tif 000027
【図６】
2006118221.tif 000028
【図７】
2006118221.tif 000029
【国際調査報告】
2006118221.tif 000030
2006118221.tif 000031
2006118221.tif 000032
2006118221.tif 000033